(57)【要約】      （修正有）【課題】連系発電システム内の設置スケジュール、メンテナンススケジュール及び監視スケジュールを含む連系発電システムの様々な操作オプション並びに再構成オプションを提供する。【解決手段】発電システム１０は、多数の配線構成１１１を含む。配線構成１１１は、配線構成１１１の並列接続部１５０ａ、１５０ｄ、配線構成１１１の並直列接続部１５０ｂ、配線構成１１１の直列接続部１５０ｃの様々な多数の形態で示されている。ローカル通信装置１１０は、システムパワーデバイス１０７と配線構成が有するパワーデバイスの一体部品であるかまたはシステムパワーデバイス１０７とパワーデバイスに後付けされる。【選択図】図１Ａ
2019004690.tif 000002
【特許請求の範囲】
【請求項１】
電力デバイスであって、
少なくとも１つのプロセッサと、
複数の発電機から電力を受け取るように構成された電力入力部と、
コンピュータデバイスからデータを受信するように構成されたデータ通信インターフェースと、
プロセッサ命令が記憶される記憶媒体であって、前記プロセッサ命令は、前記少なくとも１つのプロセッサ上で実行されたときに、
前記データ通信インターフェースを使用して、前記コンピュータデバイスに対するデータ接続を確立し、
前記データ通信インターフェースを介して、前記電力デバイスまたは前記複数の発電機の少なくとも１つの構成または操作を特定するユーザコマンドを受信し、
前記電力デバイスまたは前記複数の発電機の少なくとも１つにおいて、前記ユーザコマンドに基づくまたは前記ユーザコマンドによって特定された動作を開始する
ように前記電力デバイスを構成する、記憶媒体と
を備える、電力デバイス。
【請求項２】
前記ユーザコマンドは、電子的始動操作、電圧、電流、電力、電気部品動作温度、もしくは蓄電装置の充電状態のデータ値、複数のデータ値を含むデータ値構成であって、１組のシステム電気パラメータ、配電パネルに接続された１組の負荷、もしくは電気エネルギー貯蔵装置の充電プロファイルを表すデータ値構成、中央電力コンピュータデバイスのソフトウェア構成、太陽光発電システムの構成要素のファームウェア構成、太陽光発電システムの構成要素の電気的構成、または太陽光発電システムの状態、太陽光発電システムの構成要素の故障、太陽光発電システムの構成要素へのサービス、もしくは太陽光発電システムの構成要素の性能を含む状態の選択を特定し、
前記ユーザコマンドは、前記電力デバイスまたは前記複数の発電機の少なくとも１つに適用される、請求項１に記載の電力デバイス。
【請求項３】
前記複数の発電機は、複数の個々の相互接続部を備え、前記ユーザコマンドは、前記複数の個々の相互接続部の１つまたは複数の配線構成の配線選択を特定し、前記ユーザコマンドは、前記電力デバイスまたは前記複数の発電機の少なくとも１つに適用される、請求項１に記載の電力デバイス。
【請求項４】
前記配線選択は、前記電力デバイスに動作可能に接続された前記複数の発電機の少なくとも１つのサブセットを特定する、電力を受け取るために前記電力デバイスの構成を特定する、または前記電力デバイスまたは前記複数の発電機の少なくとも１つを制御するための命令を含む、請求項３に記載の電力デバイス。
【請求項５】
前記電力デバイスおよび前記複数の発電機は、太陽光発電システムの構成要素である、請求項１に記載の電力デバイス。
【請求項６】
前記太陽光発電システムは、少なくとも１つの太陽光発電インバータ、少なくとも１つの太陽光発電オプティマイザ、または少なくとも１つの太陽光発電コンバータをさらに備える、請求項５に記載の電力デバイス。
【請求項７】
前記ユーザコマンドは、前記電力デバイスまたは前記複数の発電機の少なくとも１つの構成または操作に応答して送信され、および前記ユーザコマンドは、前記複数の発電機の少なくとも１つの目視検査、聴覚による検査、または嗅覚による検査の結果を特定する、請求項１に記載の電力デバイス。
【請求項８】
コンピュータデバイスであって、
少なくとも１つのプロセッサと、
電力デバイスにデジタルデータを送信するように構成されたデータ通信インターフェースと、
ユーザコマンドを受信するように構成されたユーザインターフェースと、
プロセッサ命令が記憶されるコンピュータ可読記憶媒体であって、前記プロセッサ命令は、前記少なくとも１つのプロセッサ上で実行されたときに、
前記データ通信インターフェースを使用して前記電力デバイスに対するデータ接続を確立し、
前記電力デバイスまたは前記電力デバイスに接続された前記複数の発電機の少なくとも１つの構成または操作を特定するユーザコマンドを受信し、
前記データ通信インターフェースを使用して前記電力デバイスにユーザコマンドを送信する
ように前記コンピュータデバイスを構成する、コンピュータ可読記録媒体と
を備える、コンピュータデバイス。
【請求項９】
前記ユーザコマンドは、電子的始動操作、電圧、電流、電力、電気部品動作温度、もしくは蓄電装置の充電状態のデータ値、複数のデータ値を含むデータ値構成であって、１組のシステム電気パラメータ、配電パネルに接続された１組の負荷、もしくは電気エネルギー貯蔵装置の充電プロファイルを表すデータ値構成、中央電力コンピュータデバイスのソフトウェア構成、太陽光発電システムの構成要素のファームウェア構成、太陽光発電システムの構成要素の電気的構成、または太陽光発電システムの構成要素の故障、太陽光発電システムの構成要素へのサービス、もしくは太陽光発電システムの構成要素の性能を含む状態の選択を特定し、
前記ユーザコマンドは、前記電力デバイスまたは前記複数の発電機の少なくとも１つに適用される、請求項８に記載のコンピュータデバイス。
【請求項１０】
前記複数の発電機は、複数の個々の相互接続部を備え、前記ユーザコマンドは、前記複数の個々の相互接続部の１つまたは複数の配線構成の配線選択を特定し、前記ユーザコマンドは、前記電力デバイスまたは前記複数の発電機の少なくとも１つに適用される、請求項８に記載のコンピュータデバイス。
【請求項１１】
前記配線選択は、前記電力デバイスに動作可能に接続された前記複数の発電機の少なくとも１つのサブセットを特定する、前記電力を受け取るために前記電力デバイスの構成を特定する、または前記電力デバイスまたは前記複数の発電機の少なくとも１つを制御するための命令を含む、請求項１０に記載のコンピュータデバイス。
【請求項１２】
前記電力デバイスおよび前記複数の発電機は、太陽光発電システムの構成要素である、請求項８に記載のコンピュータデバイス。
【請求項１３】
前記太陽光発電システムは、少なくとも１つの太陽光発電力インバータ、少なくとも１つの太陽光発電オプティマイザ、または少なくとも１つの太陽光発電コンバータをさらに備える、請求項１２に記載のコンピュータデバイス。
【請求項１４】
前記ユーザコマンドは、前記電力デバイスまたは前記複数の発電機の少なくとも１つの構成または操作に応答して送信され、および前記ユーザコマンドは、前記複数の発電機の少なくとも１つの目視検査、聴覚による検査、または嗅覚による検査の結果を特定する、請求項８に記載のコンピュータデバイス。
【発明の詳細な説明】
【背景技術】
【０００１】
［関連出願の相互参照］
本願は、「Ｃｉｒｃｕｉｔ  Ｆｏｒ  Ａ  Ｐｏｗｅｒ  Ｄｅｖｉｃｅ  Ａｎｄ  Ｇｒａｐｈｉｃａｌ  Ｕｓｅｒ  Ｉｎｔｅｒｆａｃｅ」と題された、２０１７年５月３１日に出願された米国仮特許出願第６２／５１３，０５４号の優先権を主張するものである。この出願の内容全体を参照により本願明細書に引用したものとする。
【０００２】
発電システムの設置およびメンテナンスにおいては、作業要員が発電システムで作業を行う際に安全原則を理解し、適用することが求められる場合が多い。一般に、作業要員は、危険エリア区分、爆発防護技術、設備設置条件、安全性試験手順、ブレークダウンおよびメンテナンスの手順、適切かつ安全な断路、および詳細な目視検査の実行方法を含み得る安全意識を有することが求められる場合がある。作業要員は、保護導体の連続性、絶縁抵抗、安全超低電圧（ＳＥＬＶ）による保護、極性、接地電極抵抗、地絡ループインピーダンス、残留電流装置（ＲＣＤ）試験、接地、および予期故障電流の詳細を含み得る検査および試験の文書に正確に記入するために、多機能試験計器、安全な断路手順、および設備の使用に関する特定の訓練を受けなければならない場合がある。より詳細には、連系太陽電池パネルの発電システムでは、是正処置（例えば、切断）が行われた後でも危険電圧が残っている可能性があるので、感電死の危険や消防士のような他の作業要員へのリスクが存在し得る。
【発明の概要】
【０００３】
以下の概要は、本発明の概念のいくつかを単なる例示のために示した概略であり、本発明および詳細な説明の中の実施例を制限または制約することを意図するものではない場合がある。当業者は、詳細な説明から他の新奇な組み合わせおよび特徴を理解するであろう。
【０００４】
本明細書に開示されている本開示の例示的な態様は、発電システム内の電源に関するものであり、様々な電源群の相互接続を考察したものであり得る。各々の電源群は、太陽光、風力、もしく波力から供給されるような再生可能エネルギー源と、例えば、タービンもしくは発電機を駆動するのに使用される燃料のような再生不能エネルギー源の両方から得られる異なるタイプの電力を含み得る。本開示のいくつかの例示的な態様は、多数のパワーデバイスを介する直流源の負荷への接続を考察したものであり得る。
【０００５】
本明細書に開示されている本開示の例示的な態様は、負荷および／または蓄電装置に電力を供給するために利用される発電システムを含み得る。発電システムは、電源からの直流電流（ＤＣ）群または交流電流（ＡＣ）群の様々な相互接続部を含み得、電源はさらに、例えば、直列、並列、直並列、並直列の様々な組み合わせで接続され得る。
【０００６】
より詳細には、本開示のいくつかの例示的な態様は、連系発電システム内で利用されるシステムパワーデバイス用の後付け回路を特徴とし得る。連系発電システムは、電源からの直流電流（ＤＣ）群の様々な相互接続部に接続された多数のシステムパワーデバイスを含み得、電源はさらに、例えば、直列、並列、直並列、並直列の様々な組み合わせで接続され得る。後付け回路は、メモリに接続されたプロセッサと、プロセッサに動作可能に取り付けられた通信インターフェースとを含み得る。通信インターフェースは、システムパワーデバイスのすぐ近くにいるユーザのモバイル・コンピューティング・システムに接続するように構成され得る。モバイル・コンピューティング・システムのグラフィカル・ユーザ・インターフェース（ＧＵＩ）は、ＧＵＩのユーザがシステムパワーデバイスのすぐ近くにいるときに実行すべき連系発電システムの様々な設置スケジュール、メンテナンススケジュール、および監視スケジュールの間に支援を提供し得る。スケジュールは、設置作業者またはメンテナンス要員が、有資格者のみが現場で行う全ての設置ステップに従って、（例えば、品質、調整、および故障解析のために）行われる記録ステップおよび監視ステップをリアルタイムで、またはほぼリアルタイムで行うことができるのに役立ち得る。ＧＵＩは、システムパワーデバイスの入力および出力に接続されたバイパスユニットを始動させることができ得る。バイパスユニットを始動させることにより、例えば、システムパワーデバイス出力の並列接続部で発生する故障を発見することができる。バイパスユニットを始動させることにより、例えば、欠陥のあるシステムパワーデバイスおよび／または欠陥のある電源を特定することができる。したがって、バイパスユニットを始動させることにより、システムパワーデバイスのハウジングのハウジングカバーの不必要な取り外しをなくす、または軽減することができる。システムパワーデバイスのハウジングのハウジングカバーの不必要な取り外しを避けることにより、ハウジングカバーの取り外しおよび再閉鎖で時間が無駄になるのを防ぎ、電流が流れている開放接点がシステムパワーデバイスおよび／または電源の近くにいる人に露出されるのを防ぐことができ、さらに、ハウジングカバーの不必要な取り外しおよび再閉鎖による封止部の損傷を防ぎ、および／または封止部の完全性を保持することができる。さらに、ＧＵＩは、例えば、発電システムの安全性報告の一部および／または電気検査と試験の一部として作成された試験結果の記録およびアップロードを可能にする。
【０００７】
ＧＵＩは、電源および／またはシステムパワーデバイスに取り付けられたセンサにアクセスして、測定および監視される連系発電システムのパラメータを監視できるようにする。パラメータは、電源および／またはシステムパワーデバイスに取り付けられた蓄電装置の電圧、電流、電力、温度、または充電状態であり得る。パラメータは、連系発電システムに接続された様々な負荷に供給される電力のさらなる詳細を提供し得る。システムはさらに、蓄電装置の充電プロファイルのアップロードを可能にし、または、例えば、既存の蓄電装置を交換するために新しい充電プロファイルを有する新しい蓄電装置を設置することができる。システムパワーデバイスの動作パラメータは、ＧＵＩを介して、電源からの電力を負荷および／または蓄電装置に供給し得る方法、または蓄電装置からの電力をどの負荷にいつ供給し得るかの基準に基づいて構成され得る。システムはさらに、負荷および／または蓄電装置への電力供給および蓄電装置から負荷への電力供給の両方に必要とされる基準に対応する負荷プロファイルのアップロードを可能にし得る。基準は、例えば、日時、月、および／または年に基づく負荷要求履歴を含み得る。
【０００８】
上述したように、この概要は、単に本明細書内で記載されている特徴のいくつかの概要であり得る。この概要は、包括的でなく、また特許請求の範囲を制限するものではない場合がある。
【図面の簡単な説明】
【０００９】
【図１Ａ】本開示の例示的な態様に係る発電システムのブロック図である。
【図１Ｂ】本開示の例示的な態様に係る、配線構成および配線構成のシステムパワーデバイスへの接続部のさらなる詳細図である。
【図１Ｃ】本開示の例示的な態様に係るパワーデバイスのようなパワーデバイス内に配置され得る回路を示す図である。
【図１Ｄ】本開示の１つまたは複数の例示的な態様に係る電力回路用のバック（Ｂｕｃｋ）＋ブースト（Ｂｏｏｓｔ）回路実装を示す図である。
【図１Ｅ】本開示の例示的な態様に係るモバイル・コンピュータ・システムとローカル通信装置との接続を示す図である。
【図２】本開示の１つまたは複数の例示的な態様に係るローカル通信装置の簡略ブロック図である。
【図３】本開示の１つまたは複数の例示的な態様に係るモバイル・コンピュータ・システムの簡略ブロック図である。
【図４】本開示の１つまたは複数の例示的な態様に係るシステムパワーデバイスを収容するハウジングの等角投影図である。
【図５】本開示の１つまたは複数の例示的な態様に係るモバイル・コンピューティング・システムのディスプレイ上に提供されるグラフィカル・ユーザ・インターフェースの様々な画面部分を示す図である。
【図６Ａ】本開示の例示的な態様に係る方法のフローチャートであり、再び図４を参照したフローチャートである。
【図６Ｂ】本開示の例示的な態様に係る方法のフローチャートである。
【００１０】
本開示の上記および他の特徴、態様、ならびに利点は、以下の説明、特許請求の範囲、および図面からより良く理解されるであろう。本開示は、例として示されたものであり、添付図面によって制限されない場合がある。
【発明を実施するための形態】
【００１１】
本開示の様々な例示的な態様についての以下の説明において、添付図面が参照される場合がある。添付図面は、本開示の一部を成し、添付図面には、本開示の態様が実施され得る様々な実施形態が例として示され得る。本開示の範囲から逸脱することなく、他の実施形態を使用することができ、また構造および機能の修正を行うことができることは理解できるであろう。
【００１２】
前置きとして、本開示の例示的な態様の特徴は、発電システムの様々な構成要素への後付け回路または発電システムの様々な構成要素にすでに含まれている回路を対象とし得る。後付け回路および回路は、モバイル・コンピューティング・システムとネットワークとの接続を介して、サーバへのアクセスを提供し得る。この接続により、例えば、ユーザが発電システムの様々な構成要素の近くにいるときに、発電システムの様々な構成要素のファームウェアの更新が可能になり得る。発電システムの様々な構成要素のファームウェアの更新は、サーバおよび／またはネットワークへの接続が利用できないときに、モバイル・コンピューティング・システムの記憶装置から行われ得る。さらに、この接続により、例えば、発電システムの設置および／またはメンテナンスの際に、ユーザによって測定および監視される発電システムの動作パラメータのデータをアップロードすることが可能になる。さらに、この接続により、例えば、サーバおよび／またはネットワークへの接続が利用できないときに、モバイル・コンピューティング・システム内で監視および測定されるデータを記憶することが可能になる。記憶されたデータは、サーバおよび／またはネットワークへの接続が次に利用可能になったときに、後でサーバおよび／またはネットワークにアップロードされ得る。同様に、発電システムの様々な構成要素のファームウェアの最新の更新は、サーバおよび／またはネットワークへの接続が利用可能になったときに行われ得る。
【００１３】
例えば、太陽光発電インバータは、インターネット接続をサポートしていない場合がある、またはインターネット接続が利用できない位置（例えば、地下階）に設置される場合がある。設置作業者は、現場に行き、および／またはインバータにサービスを提供する前に、サーバおよび／またはネットワークに接続して、ファームウェア更新をモバイル・コンピューティング・システムにダウンロードすることができる。設置作業者は、現場に行って、（例えば、ローカル有線もしくは無線接続を使用して）モバイル・コンピューティング・システムをインバータに通信可能に接続し、ファームウェアの更新をインバータに転送し、インバータからデータを受信して、一度現場から離れて、サーバおよび／またはネットワークに再び接続して、さらなるデータ記憶および／または分析のためにインバータから受信したデータを送信することができる。
【００１４】
発明を実施するための形態の中で使用される用語「多数の」は、複数の部品、要素、もしくは部材を有する、または含む性質を示すものである。特許請求の範囲の中で使用されるクレーム用語「複数の」は、用語「多数の」および／または他の複数形を使用した説明の裏付けを示すものである。他の複数形は、例えば、ｃｏｎｖｅｒｔｅｒの複数形はｃｏｎｖｅｒｔｅｒｓ、ｓｗｉｔｃｈの複数形はｓｗｉｔｃｈｅｓとなるように「ｓ」または「ｅｓ」を付けることによって複数形を形成する規則的名詞を含み得る。
【００１５】
図１Ａを参照すると、図１Ａは、本開示の例示的な態様に係る発電システム１０を示している。発電システム１０は、多数の配線構成１１１を含む。配線構成１１１は、配線構成１１１の並列接続部１５０ａ／１５０ｄ、配線構成１１１の並直列接続部１５０ｂ、配線構成１１１の直列接続部１５０ｃの様々な多数の形態で示されている。例えば、配線構成１１１の直並列接続部および／または接続部１５０ａ、１５０ｂ、１５０ｃ、１５０ｄ間の様々な相互接続部のような配線構成１１１の様々な他の相互接続部が形成される場合がある。各々の配線構成１１１はさらに、以下の説明でさらに詳細に説明する電源および／またはパワーデバイス（図１Ａには図示せず）の様々な相互接続部を含み得る。個々の接続部１５０ａ、１５０ｂ、１５０ｃ、１５０ｄの出力は、システムパワーデバイス１０７の入力に接続し得る。各々のパワーデバイス１０７の出力は、負荷１０９に接続し得る。システムパワーデバイス１０７は、例えば、直流電流（ＤＣ）−交流電流（ＡＣ）インバータ、ＤＣ−ＤＣコンバータ、またはＡＣーＤＣコンバータであり得る。負荷１０９は、例えば、バッテリのようなＤＣ負荷、電力系統（ＡＣもしくはＤＣであり得る）、または電動機、および／または発電機であり得る。負荷１０９は、互いに別個および／または共通の負荷であり得る（図１Ａに示されている多数の負荷１０９は、１つの電力系統を示し得る）。
【００１６】
接続部１５０ｄにおいて、蓄電装置１１２（例えば、バッテリ、スーパーキャパシタ、フライホイールなど）は、システムパワーデバイス１０７に接続する。このため、蓄電装置１１２は、システムパワーデバイス１０７を介して配線構成１１１によって生成された電力から蓄電するのに利用され得、および／または、負荷１０９が、例えば、他の接続部１５０ａ、１５０ｂ、１５０ｃからの別の電力源および／またはＡＣもしくはＤＣ電力系統のような別の電力源である場合に、負荷１０９からの電力から蓄電するのに利用され得る。蓄電装置１１２は、接続部１５０ａ、１５０ｂ、１５０ｃ、１５０ｄからの電力が利用できない、および／または負荷１０９に供給するのに十分でない可能性があるレベルのときに、負荷１０９に電力を供給するのに利用され得る。接続部１５０ａ、１５０ｂ、１０５ｃ、１５０ｄからの電力が利用できないのは、日陰になる、または夜間で電力を生成できない可能性のある太陽電池パネルを含む配線構成１１１であることが原因であり得る。あるいは、配線構成１１１は、風がない場合に、接続部１５０ａ、１５０ｂ、１０５ｃ、１５０ｄから生成される電力がより小さくなる風力タービンを含み得る。さらに、配線構成１１１は、燃料がなくなると、接続部１５０ａ、１５０ｂ、１０５ｃ、１５０ｄから生成される電力が最小になる燃料駆動発電機を含み得る。上記のことから、蓄電装置１１２に接続されるシステムパワーデバイス１０７の特徴は、蓄電装置１１２に蓄電するためにグリッド（負荷１０９が電力系統であるとき）からの電力を変換する、および／または負荷１０９に電力を供給するために蓄電装置１１２からの電力を変換することであり得る。蓄電装置１１２が並列接続部１５０ｄに接続されていても、蓄電装置１１２は他の接続部１５０ａ、１５０ｂ、または１５０ｃのいずれかに接続され得ることは理解されたい。
【００１７】
システムパワーデバイス１０７および／または蓄電装置１１２は、組み込まれたローカル通信装置１１０を含み得る、またはローカル通信装置１１０が後付けされ得る。ローカル通信装置１１０はさらに、電力線に磁気的に結合され得る電力線通信（ＰＬＣ）装置によって実現され得、磁気結合は、配線構成１１１をシステムパワーデバイス１０７および負荷１０９に相互接続する電力線への直接的な電気接続を必要としない場合がある。ＰＬＣ装置は、クランプ機構を介して電力ケーブルに接続し得、発電システム１０内の様々な装置の監視および制御を行うために、発電システム１０の様々な部品間の通信を可能にし得る。ローカル通信装置１１０のさらなる詳細については、以下の図１Ｅ、図２、および図３に関する説明の中で述べる。
【００１８】
図１Ｂを参照すると、図１Ｂは、本開示の例示的な態様に係る、配線構成１１１および配線構成１１１のシステムパワーデバイス１０７への接続部をさらに詳細に示している。多数の配線構成１１１は、システムパワーデバイス１０７の入力に接続する端子Ａ、Ｂで並列接続された形で示されている。システムパワーデバイス１０７の出力は、負荷１０９に接続し得る。各々の配線構成１１１は、端子Ｗ、Ｘにおいて個々のパワーデバイス１０３および／またはパワーデバイス１０３ａに接続され得る１つまたは複数の電源１０１を含み得る。端子Ｙ、Ｚのパワーデバイス１０３／１０３ａの出力は、端子Ａ、Ｂ間を接続する直列ストリングを形成するように互いに接続され得る。ローカル通信装置１１０は、システムパワーデバイス１０７に接続された状態で示されており、パワーデバイス１０３ａに接続されてもよい。ローカル通信装置１１０は、システムパワーデバイス１０７／パワーデバイス１０３の一体部品であり得、および／またはシステムパワーデバイス１０７／パワーデバイス１０３に後付けされ得る。ローカル通信装置１１０の特徴については、以下の説明の中で、より詳細に述べる。
【００１９】
いくつかの実施形態では、１つまたは複数の配線構成１１１は、パワーデバイス１０３ａまたはパワーデバイス１０３を含まない場合がある。たとえば 、配線構成１１１は、直列または並列で直接接続された多数の電源１０１を含み得る。例えば、配線構成１１１は、１０枚、２０枚、または３０枚の直列に接続された太陽電池パネルを有し得る。いくつかの実施形態では、配線構成１１１は、第１の群の１つまたは複数の直接接続された電源１０１と、パワーデバイス１０３ａまたはパワーデバイス１０３を介して第１の群に接続された第２の群の１つまたは複数の電源１０１とを含み得る。この配置は、いくつかの電源１０１は発電を低減する要因の影響を受けやすい場合があるが（例えば、日陰になることもあるＰＶ発電機、風が弱くなることもある風力タービン）、他の電源１０１は電力低減要因の影響をほとんど受けないという電力設備において、有用であり得る。
【００２０】
図１Ｃを参照すると、図１Ｃは、本開示の例示的な態様に係るパワーデバイス１０３／１０３ａのようなパワーデバイス内に配置され得る回路を示す図である。パワーデバイス１０３／１０３ａは、入力端子Ｗ、Ｘおよび出力端子Ｙ、Ｗをそれぞれ備え得る、図１Ａに示されているパワーデバイス１０３／１０３ａと同様または同一であり得る。入力端子Ｗ、Ｘおよび出力端子Ｙ、Ｗは、電力線１２０（図示せず）に接続し得る。いくつかの実施形態では、パワーデバイス１０３／１０３ａは、電力回路１３５を含み得る。電力回路１３５は、バックコンバータ、ブーストコンバータ、バック／ブーストコンバータ、バック＋ブーストコンバータ、チュック（Ｃｕｋ）コンバータ、フライバック（Ｆｌｙｂａｃｋ）コンバータおよび／またはフォワードコンバータのような直流電流−直流電流（ＤＣ／ＤＣ）コンバータ、または電荷ポンプを含み得る。いくつかの実施形態では、電力回路１３５は、マイクロインバータのような直流電流−交流電流（ＤＣ／ＡＣ）コンバータ（インバータとしても周知である）を含み得る。電力回路１３５は、２つの入力端子および２つの出力端子を有し得、これらは、パワーデバイス１０３／１０３ａの入力端子および出力端子と同一であり得る。いくつかの実施形態では、パワーデバイス１０３／１０３ａは、電源から抽出する電力を増加させるように構成された最大電力点追従（ＭＰＰＴ）回路１３８を含み得る。
【００２１】
いくつかの実施形態では、電力回路１３５は、ＭＰＰＴ機能を含み得る。いくつかの実施形態では、ＭＰＰＴ回路１３８は、パワーデバイス１０３／１０３ａに接続され得る電源から抽出する電力を増加させるためにインピーダンス整合アルゴリズムを実装し得、パワーデバイス１０３／１０３ａは、マイクロプロセッサ、デジタル・シグナル・プロセッサ（ＤＳＰ）、特定用途向け集積回路（ＡＳＩＣ）、および／またはフィールド・プログラマブル・ゲート・アレイ（ＦＰＧＡ）のようなコントローラ１０５をさらに含み得る。
【００２２】
さらに図１Ｃを参照すると、コントローラ１０５は、共通バス１９０を介してパワーデバイス１０３／１０３ａの他の要素を制御し、および／またはその要素と通信し得る。いくつかの実施形態では、パワーデバイス１０３／１０３ａは、パラメータを直接測定するように構成された回路および／またはセンサおよび／またはセンサインターフェース１２５を含み得、または電源上もしくは電源の近くで、電源によって出力された電圧および／もしくは電流ならびに／または電源によって出力された電力のようなパラメータを測定するように構成された接続センサおよび／またはセンサインターフェース１２５から測定パラメータを受信し得る。いくつかの実施形態では、電源は、太陽電池（ＰＶ）セルを備える太陽電池（ＰＶ）発電器であり得、センサもしくはセンサインターフェースは、ＰＶセルによって受光された放射照度の測定値、および／またはＰＶ発電器上またはＰＶ発電器近くの気温を直接測定し、または受信し得る。
【００２３】
さらに図１Ｃを参照すると、いくつかの実施形態では、パワーデバイス１０３／１０３ａは、他の装置からのデータおよび／またはコマンドを送信および／または受信するように構成された通信インターフェース１２９を含み得る。通信インターフェース１２９は、電力線通信（ＰＬＣ）技術、音響通信技術、またはさらに別の技術、例えば、ＺＩＧＢＥＥ（商標）、Ｗｉ−Ｆｉ、ＢＬＵＥＴＯＯＴＨ（商標）、セルラー通信、もしくは他の無線方法を使用して通信し得る。電力線通信（ＰＬＣ）は、パワーデバイス１０３／１０３ａと、通信インターフェース１２９と同様の通信インターフェースを含み得るシステムパワーデバイス（例えば、インバータ）１０７との間で電力線１２０を介して実行され得る。
【００２４】
いくつかの実施形態では、パワーデバイス１０３／１０３ａは、センサ（単数または複数）／センサインターフェース１２５によって取得された測定値の記録を取って、コード、動作プロトコル、または他の動作情報を記憶するために、メモリ１２３を含み得る。メモリ１２３は、フラッシュメモリ、電気的消去可能プログラマブル読み取り専用メモリ（ＥＥＰＲＯＭ） 、ランダム・アクセス・メモリ（ＲＡＭ）、ソリッドステートデバイス（ＳＳＤ）、または他のタイプの適切なメモリデバイス素子であり得る。
【００２５】
さらに図１Ｃを参照すると、いくつかの実施形態では、パワーデバイス１０３／１０３ａは、安全装置１６０（例えば、ヒューズ、ブレーカ、および残留電流検出器）を含み得る。安全装置１６０は、受動安全装置または能動安全装置であり得る。例えば、安全装置１６０は、パワーデバイス１０３／１０３ａ内に配置される１つまたは複数の受動的なヒューズを含み得、ヒューズエレメントは、ヒューズの定格を超える過電流が流れたときに融解して破壊し、その結果、損傷を防ぐためにパワーデバイス１０３／１０３ａの一部を切断するように設計され得る。いくつかの実施形態では、安全装置１６０は、コントローラ（例えば、コントローラ１０５または外部コントローラ）からコマンドを受信してパワーデバイス１０３／１０３ａの一部を短絡させるおよび／または切断するように構成された、またはセンサによって測定された測定値（例えば、センサ／センサインターフェース１２５によって測定または取得された測定値）に応答してパワーデバイス１０３／１０３ａの一部を短絡させるおよび／または切断するように構成された能動的な切断スイッチを含み得る。いくつかの実施形態では、パワーデバイス１０３／１０３ａは、パワーデバイス１０３／１０３ａに接続される電源から電力を受け取り、他の回路部品（例えば、コントローラ１０５、通信インターフェース１２９など）を作動させるのに適した電力を出力するように構成された補助電力回路１６２を含み得る。パワーデバイス１０３／１０３ａの様々な構成要素間の通信、電気接続、および／またはデータ共有は、共通バス１９０を介して実行され得る。いくつかの実施形態では、補助電力回路１６２は、パワーデバイス１０３／１０３ａの出力に接続され得、他のパワーデバイスに接続された電源から電力を受け取るように設計され得る。
【００２６】
パワーデバイス１０３／１０３ａは、最大電力点追従（ＭＰＰＴ）回路を含み得る、または最大電力点追従（ＭＰＰＴ）回路に動作可能に取り付けられ得る。ＭＰＰＴ回路はさらに、コントローラ１０５またはパワーデバイス１０３／１０３ａ内に含まれる別のコントローラ１０５（主コントローラとして設計され得る）に動作可能に接続され得る。パワーデバイス１０３／１０３ａ内の主コントローラは、副コントローラとして周知であるコントローラを含み得る１つまたは複数の他のパワーデバイス１０３／１０３ａを通信可能に制御し得る。主／副の関係が確立され得ると、制御の方向は、主コントローラから副コントローラとなり得る。主および／または中央コントローラ１０５の制御下のＭＰＰＴ回路は、電源１０１からの電力抽出を増加させるために、および／またはシステムパワーデバイス（例えば、インバータもしくは負荷）１０７に供給される電圧ならびに／もしくは電流を制御するために利用され得る。
【００２７】
さらに図１Ｃを参照すると、いくつかの実施形態では、パワーデバイス１０３／１０３ａは、電力回路１３５の入力間および／または電力回路１３５の出力間で結合されるバイパスユニットＱ９を含み得る。バイパスユニットＱ９および／または電力回路１３５は、電力線１２０を終端させる、またはヒューズもしくは残留電流装置のような安全機能を提供する接続箱であり得る。バイパスユニットＱ９はさらに、例えば、断路スイッチであり得る。バイパスユニットＱ９はさらに、受動デバイス、例えば、ダイオードであり得る。バイパスユニットＱ９は、コントローラ１０５によって制御され得る。危険な状態が検出された場合、コントローラ１０５は、バイパスユニットＱ９をオンに設定して、電力回路１３５の入力および／または出力を短絡させ得る。一組の電源１０１が太陽電池（ＰＶ）発電器である場合、各々のＰＶ発電器は、その出力端子において開路電圧を供給する。バイパスユニットＱ９がオンになると、ＰＶ発電器は短絡されて、電力回路１３５に供給される電圧はほぼゼロになり得る。両方のシナリオで、安全な電圧は維持され得、開路ＰＶ発電器と短絡ＰＶ発電器とを繰り返すように２つのシナリオが交互に発生し得る。この動作モードは、システム制御装置への連続的な電力供給を可能にし得、同時に、安全な電圧を維持するためのバックアップ機構を提供し得る（すなわち、バイパスユニットＱ９の動作は、継続的な安全動作状態を可能にし得る）。
【００２８】
いくつかの実施形態では、パワーデバイス１０３／１０３ａは、図１Ｃに示されている要素の部分群を備え得る。例えば、パワーデバイス１０３／１０３ａは、電力回路１３５を含まない場合がある（すなわち、電力回路１３５は短絡回路に置き換えられてよく、１つのバイパスユニットＱ９を特徴としてよい）。電力回路１３５が存在しない場合でも、パワーデバイス１０３／１０３ａは、依然として安全機能、監視機能、および／またはバイパス機能を提供するのに使用され得る。
【００２９】
図１Ｄを参照すると、図１Ｄは、本開示の１つまたは複数の例示的な態様に係る電力回路１３５用のバック＋ブースト回路実装を示す図である。電力回路１３５用のバック＋ブースト回路実装は、スイッチＳ１、Ｓ２、Ｓ３、Ｓ４に金属酸化膜半導体電界効果トランジスタ（ＭＯＳＦＥＴ）を利用する。スイッチＳ１、Ｓ２、Ｓ３、Ｓ４のソースは第１の端子と呼ばれ、Ｓ１、Ｓ２、Ｓ３、Ｓ４のドレインは第２の端子と呼ばれ、Ｓ１、Ｓ２、Ｓ３、Ｓ４のゲートは第３の端子と呼ばれる。コンデンサＣ１は、バック＋ブースト回路の正（＋）および負（−）入力端子Ｃ、Ｄで並列接続され得、電圧をＶＩＮで表すことができる。コンデンサＣ２は、バック＋ブースト回路の正（＋）および負（−）出力端子Ａ、Ｂで並列接続され得、電圧をＶＯＵＴで表すことができる。スイッチＳ３、Ｓ２の第１の端子は、バック＋ブースト回路の共通の負（−）の出力端子および入力端子に接続し得る。スイッチＳ１の第２の端子は、正（＋）の入力端子に接続し、スイッチＳ１の第１の端子は、スイッチＳ３の第２の端子に接続し得る。スイッチＳ４の第２の端子は、正（＋）の出力端子に接続し、スイッチＳ４の第１の端子は、スイッチＳ２の第２の端子に接続し得る。インダクタＬ１は、スイッチＳ３の第２の端子とスイッチＳ４の第２の端子との間に接続し得る。スイッチＳ１、Ｓ２、Ｓ３、Ｓ４の第３の端子は、コントローラ１０５に動作可能に接続され得る。
【００３０】
スイッチＳ１、Ｓ２、Ｓ３、Ｓ４は、例えば、金属酸化膜半導体電界効果トランジスタ（ＭＯＳＦＥＴ）、絶縁ゲートバイポーラトランジスタ（ＩＧＢＴ）、バイポーラ接合トランジスタ（ＢＪＴ）、ダーリントン（Ｄａｒｌｉｎｇｔｏｎ）トランジスタ、ダイオード、シリコン制御整流器（ＳＣＲ）、Ｄｉａｃ、Ｔｒｉａｃ、または当技術分野で既知の半導体スイッチのような半導体デバイスを使用して実装され得る。例として、スイッチＳ１、Ｓ２、Ｓ３、Ｓ４は、バイポーラ接合トランジスタを使用して実装され得、この場合、コレクタ、エミッタ、およびベースは、上記で説明および定義した第１の端子、第２の端子、および第３の端子を指すことができる。スイッチＳ１、Ｓ２、Ｓ３，Ｓ４は、手動スイッチまたは電気機械式スイッチ（例えば、リレー）のような機械的スイッチ接点を使用して実装され得る。同様に、パワーデバイス１０３／１０３ａの実装は、例えば、バック回路、ブースト回路、バック／ブースト回路、フライバック回路、フォワード回路、電荷ポンプ、チュックコンバータ、またはパワーデバイス１０３／１０３ａの入力の電力をパワーデバイス１０３／１０３ａの電力出力に変換するために利用され得る任意の他の回路を含み得る。
【００３１】
図１Ｅを参照すると、図１Ｅは、本開示の例示的な態様に係るモバイル・コンピュータ・システム１２とローカル通信装置１１０との間の接続を示している。モバイル・コンピューティング・システム１２は、スマートフォンとして示されているが、異なるデバイス、例えば、ラップトップコンピュータまたはタブレット型デバイスとしてもよい。モバイル・コンピューティング・システム１２とローカル通信装置１１０との間の接続は、ケーブル１６および／または無線接続１４を使用した接続であり得る。ケーブル１６は、ユニバーサル・シリアル・バス（ＵＳＢ（商標））ケーブル、または光ファイバケーブル、同軸ケーブル、もしくはイーサネットケーブル（例えば、Ｃａｔ５もしくはＣａｔ５ｅ）のような任意の他のデータケーブルであり得る。無線接続１４は、近距離無線通信（ＮＦＣ）、ＺＩＧＢＥＥ（商標）、Ｗｉ−Ｆｉ、ワイヤレスＵＳＢ（商標）、およびＢＬＵＥＴＯＯＴＨ（商標）のような無線技術を介した接続であり得る。ユーザにグラフィカル・ユーザ・インターフェース（ＧＵＩ）を提供し得るディスプレイ３０６を有するモバイル・コンピューティング・システム１２が示されている。
【００３２】
図２を参照すると、図２は、本開示の１つまたは複数の例示的な態様に係るローカル通信装置１１０の簡略ブロック図である。プロセッサ２００は、メモリ記憶装置２０２に対するデータの読み出しおよび書き込みを可能にするために、メモリ記憶装置２０２に双方向接続し得る。ローカル通信装置１１０はさらに、プロセッサ２００に動作可能に取り付けられたディスプレイ２０６を含み得る。通信インターフェース２０４は、モバイル・コンピュータ・システム１２とローカル通信装置１１０との間の接続を可能にするために、プロセッサ２００に双方向接続し得る。この接続により、モバイル・コンピュータ・システム１２を介してローカル通信装置１１０をサーバおよびセルラーネットワークに接続することが可能になる。この接続により、典型的には、ユーザはモバイル・コンピューティング・システム１２上のアプリケーションを実行することが可能になり、アプリケーションにより、ユーザが上述のケーブル１６および／または無線接続１４を使用してローカル通信装置１１０の近くにいるときに、ユーザおよび／または遠隔ユーザがシステムパワーデバイス１０７、パワーデバイス１０３／１０３ａ、および／または蓄電装置（単数または複数）１１２（ローカル通信装置１１０を含む）と通信し、これらを制御および構成することが可能になる。さらに、ローカル通信装置１１０は、システムパワーデバイス１０７および／またはパワーデバイス１３０／１０３ａ（例えば、発電システム１０の後付け部品の一部として次の追加の機能を有さない）内に、追加のセンサ、ＭＰＰＴ回路、別の制御機能、安全装置、および補助電力回路を含むために、システムパワーデバイス１０７および／またはパワーデバイス１３０／１０３ａ内に設けられ得る。
【００３３】
図３を参照すると、図３は、本開示の１つまたは複数の例示的な態様に係るモバイル・コンピュータ・システム１２の簡略ブロック図である。モバイル・コンピュータ・システム１２は、例えば、Ａｐｐｌｅ社のｉＰｈｏｎｅ（商標）、ラップトップコンピュータ、またはＡｎｄｒｏｉｄ（商標）オープンソースのオペレーティングシステムを実行するように構成されたスマートフォンであり得る。モバイル・コンピュータ・システム１２は、ネットワーク３２４を介してサーバ３２６に接続可能であり得る。モバイル・コンピュータ・システム１２はさらに、セルラー基地局の受信機３２０を介してセルラーネットワーク３２２の他の部分にも接続可能であり得る。モバイル・コンピュータ・システム１２は、ローカルデータ記憶装置３０２に接続されるプロセッサ３００を含み得る。データ通信モジュール３０８は、プロセッサ３００をネットワーク３２４に接続し得る。セルラー通信モジュール３０４は、プロセッサ３００をセルラーネットワーク３２２に接続し、セルラーネットワーク３２２はさらにインターネットに接続され得る。モバイル・コンピュータ・システム１２は、プロセッサ３００、周辺付属機器（ディスプレイ３０６、グローバル・ポジショニング・システム３１０（ＧＰＳ）、カメラ３１２、マイク３１４、スピーカ３１８、バイブレータ３１６、加速度計／重力センサ／ジャイロセンサユニット３２８、Ｂｌｕｅ―ｔｏｏｔｈ（商標）、赤外線センサ（図示せず）など）に接続され得る。ディスプレイ３０６は、モバイル・コンピューティング・システム１２上で動作するアプリケーションのためにグラフィカル・ユーザ・インターフェース（後述する）をユーザに提供し得る。モバイル・コンピュータ・システム１２のユーザは、例えば、発電システム１０のような発電システムの設置作業者であり得る。ユーザは、発電システム１０のような発電システムの維持を担当する保全技術者、管理者、または職員であり得る。このアプリケーションにより、ユーザは、ローカル通信装置（例えば、ローカル通信装置１１０）を介して、システムパワーデバイス１０７、パワーデバイス１０３／１０３ａ、および／または蓄電装置（単数または複数）１１２と通信し、これらを制御し、構成することが可能になる。
【００３４】
図４を参照すると、図４は、本開示の１つまたは複数の例示的な態様に係るシステムパワーデバイス１０７を収容するハウジング４６の等角投影図である。ハウジング４６は、ローカル通信装置１１０とモバイル・コンピューティング・システム１２との間のケーブル１６の接続を可能にするデータコネクタ４４を含み得る。ケーブルグランド４０ａ、４０ｂは、図１Ｂの電力線１２０（図４には図示せず）の導体をハウジング４６内部で終端させることができるように電力線１２０を挿入および固定するのに使用され得る。システムパワーデバイス１０７は、後付け通信システムを受容するように設計されたシステムパワーデバイスとして示されている。後付けは、ハウジング４６内へのローカル通信装置１１０（図４には図示せず）の取り付けおよび配置を含み得、ハウジング４６は、ディスプレイ２０６がハウジング４６のフロントパネルに取り付けられるように修正される。いくつかの例示的な態様によれば、ディスプレイ２０６は、ハウジング４６の大部分にわたって延在し得る（例えば、ディスプレイ２０６は、ハウジング４６のフロントパネル全体またはフロントパネルの大部分にわたって延在し得る）。フロントパネルは、締め具４２によってハウジング４６の背面部分に取り付けられる形で示されている。さらに、後付けは、ローカル通信装置１１０に接続するデータコネクタ４４の取り付けを含み得る。あるいは、ローカル通信装置１１０は、システムパワーデバイス１０７またはパワーデバイス１０３のすぐ近くに、または近くに取り付けられ得る。
【００３５】
システムパワーデバイス１０７および／またはパワーデバイス１０３ａへのローカル通信装置１１０の後付けは、現時点でシステムパワーデバイス１０７またはパワーデバイス１０３／１０３ａがユーザに対して通信の特定のメカニズムを提供していないために行われ得る。後付けは、一時的または永久的であり得る。例えば、いくつかの実施形態では、携帯電話は、ローカル通信装置としての機能を果たし得、例えば、ローカル無線プロトコル（例えば、近距離無線通信（ＮＦＣ）、ＢＬＵＥＴＯＯＴＨ（商標）、ＺＩＧＢＥＥ（商標）、もしくはＷｉ−Ｆｉ）を介して、または携帯電話をシステムパワーデバイスまたはパワーデバイス上の通信部分に接続することによって、システムパワーデバイス１０７またはパワーデバイス１０３／１０３ａに通信可能にペアリングされ得る。通信ペアリングは、取り付けられたパワーデバイスに一定期間特定のサービスを提供するのに使用され得、サービスの提供が終了した後、携帯電話を取り外すことによって通信ペアリングは切断され得る。
【００３６】
通信ペアリングは、例えば、ファームウェア更新またはソフトウェア更新の機能をシステムパワーデバイス１０７またはパワーデバイス１０３／１０３ａに提供するのに利用され得る。ファームウェア更新またはソフトウェア更新は、例えば、モバイル・コンピューティング・システム（例えば、図３のモバイル・コンピューティング・システム１２）を介してサーバ（例えば、図３のサーバ３２６）から行われ得る。ファームウェア更新またはソフトウェア更新は、サーバ３２６とローカル通信装置１１０との間の接続が利用できない状況では、モバイル・コンピューティング・システム１２の記憶装置３０２からローカル通信装置１１０に対して行われ得る。
【００３７】
この通信のメカニズムは、モバイル・コンピューティング・システム１２を介して、ＧＰＳ３１０からＧＰＳ座標をシステムパワーデバイス１０７に割り当てる機能、および／または固有の識別（ＩＤ）番号をシステムパワーデバイス１０７またはパワーデバイス１０３／１０３ａに割り当てる機能を提供し得る。ＧＰＳ座標および／またはＩＤ番号は、その後、例えば、パワーデバイスの出力の直列ストリングで接続された、システムパワーデバイス１０７とのペアリング、システムパワーデバイス１０７およびパワーデバイス１０３／１０３ａとのペアリング、および／またはパワーデバイス１０３／１０３ａとのペアリングを記録するのに利用され得る。記録は、その後、図１Ｃのメモリ記憶装置２０２および／または図３のデータネットワーク３２４／サーバ３２６内のメモリ記憶装置に記憶され得る。サーバ３２６に対してアップロード可能かつダウンロート可能であり、記憶装置２０２／３０２内に記憶可能な記録はさらに、作業要員のユーザ名、作業要員によって始動された日時、作業要員のユーザ名およびパスワードの照合、更新されたファームウェアのバージョンならびに以前のファームウェアのバージョン、システムパワーデバイス１０７またはパワーデバイス１０３／１０３ａに関するエラーログのような情報を含み得る。そのため、記録は、発電システム１０の作業要員によってメンテナンスまたは設置手順が実行されることにより、さらに発電システム１０の地理的配置を提供し、さらに地理的配置の更新機能をも提供し得る。
【００３８】
更新機能は、例えば、配線構成１１１、システムパワーデバイス１０７、パワーデバイス１０３／１０３ａ、蓄電装置１１２、および負荷１０９への追加、それらの除去、修理、または再配置を含み得る。そのため、更新可能な記録は、作業要員が様々な時に、および／または様々な位置で発電システム１０の機能を実行しなければならないときに、作業要員の動作を追跡するのに利用され得る。作業要員および／またはモバイル・コンピューティング・システム１２がローカル通信装置１１０の近くにあることにより、作業要員の動作は追跡および監視され得る。モバイル・コンピューティング・システム１２がローカル通信装置１１０の近くにあることで、サーバ３２６への接続が始動され、その結果、作業要員の動きおよび／または動作が、例えば、インターネットを介して監視され、別の関係者に伝達され得る。
【００３９】
さらに、モバイル・コンピューティング・システム１２がローカル通信装置１１０の近くにあることを利用して、セルラーネットワーク３２２から発電システム１０に関係する他の要員に、ショート・メッセージ・サービス（ＳＭＳ）によって、作業要員が現在、特定のシステムパワーデバイス１０７および／またはパワーデバイス１０３／１０３ａにおいて設置および／またはメンテナンスの作業を行っていることを警告／通知することができる。したがって、ＳＭＳは、例えば、作業要員の位置および作業要員が発電システム１０の特定の位置で費やした時間をさらに含み得る。さらに、システムパワーデバイス１０７および／またはパワーデバイス１０３／１０３ａへのローカル通信装置１１０の後付けに提供される通信のメカニズムにより、例えば、システムパワーデバイス１０７および／またはパワーデバイス１０３／１０３ａの既存のプロセッサの代わりに、もしくは既存のプロセッサに追加して、プロセッサ２００を使用することで、システムパワーデバイス１０７および／またはパワーデバイス１０３ａの代替もしくは追加の制御機能が可能になる。
【００４０】
また、システムパワーデバイス１０７および／またはパワーデバイス１０３／１０３ａへのローカル通信装置１１０の後付けに提供される通信のメカニズムにより、システムパワーデバイス１０７および／またはパワーデバイス１０３ａの代替もしくは追加の制御機能が可能になる。モバイル・コンピューティング・システム１２のプロセッサ３００をプロセッサ２００の代わりに使用することによる代替もしくは追加の制御機能は、例えば、電力線通信を介して、他のシステムパワーデバイス１０７および／またはパワーデバイス１０３／１０３ａに適用され得る。モバイル・コンピューティング・システム１２のプロセッサ３００をプロセッサ２００の代わりに使用することによる代替もしくは追加の制御機能は、一時的な目的のための機能であり得る。一時的な目的は、他のシステムパワーデバイス１０７および／またはパワーデバイス１０３／１０３ａの再構成のために、再構成の有効性の一時的な評価および／または報告を可能にすることであり得る。再構成の有効性の一時的な評価および／または報告が終了すると、プロセッサ２００もしくはシステムパワーデバイス１０７および／またはパワーデバイス１０３／１０３ａの既存のプロセッサの通常の使用が継続され得る。
【００４１】
例として図１Ａ、図１Ｂを再び参照し、さらに図５を参照すると、図５は、本開示の１つまたは複数の例示的な態様に係るモバイル・コンピューティング・システム１２のディスプレイ３０６上に設けられたグラフィカル・ユーザ・インターフェース（ＧＵＩ）５００の様々な画面部分を示している。図１Ａを参照すると、配線構成１１１はさらに、例えば、風力タービン、蓄電池群、もしくはガソリン発電機から得られるＤＣ電源であり得る電源１０１を含み得る。非限定的な例として、以下の説明を容易にするために、図１Ａおよび図１Ｂの電源１０１（パワーデバイス１０３／１０３ａの入力に接続された太陽光パネルである）について述べる。パワーデバイス１０３は、パワーデバイス１０３とモバイル・コンピューティング・システム１２との間の通信を可能にする機能をすでに含み得る。パワーデバイス１０３ａは、パワーデバイス１０３と同様のパワーデバイスであり得るが、パワーデバイス１０３ａとモバイル・コンピューティング・システム１２との間の通信を可能にするために、ローカル通信装置１１０が後付けされている。パワーデバイス１０３／１０３ａの出力は、端子Ａ、Ｂでシステムパワーデバイス１０７の入力に接続され得る直列ストリングを形成するように配線され得る。
【００４２】
ＧＵＩ５００の画面領域５０、５１、５２、５３、５４、５５、５６、５７、５８は、１つのグラフィック画面上に含まれ得る、または（例えば、利用可能な画面サイズに応じて）異なるグラフィック画面上に表示され得る。以下の説明では、例として、タッチスクリーンについて述べるが、例えば、マウスおよびポインタによってアイテムを選択することができるコンピュータモニタのような他の画面が使用されてもよい。
【００４３】
以下の説明は、ローカル通信装置１１０が後付けされた、またはローカル通信装置１１０の機能をすでに含む発電システム１０の配線構成１１１、システムパワーデバイス１０７、パワーデバイス１０３／１０３ａ、蓄電装置１１２、および負荷１０９の近くに、ユーザおよびモバイル・コンピューティング・システム１２が物理的に存在するものと想定することができる。配線構成１１１の近くにユーザおよびモバイル・コンピューティング・システム１２が物理的に存在することにより、モバイル・コンピューティング・システム１１２とパワーデバイス１０７との間の通信が可能になる。この通信は、図１Ｅに示されているように、ケーブル１６および／または無線接続１４を使用するものであり得る。ケーブル１６は、ユニバーサル・シリアル・バス（ＵＳＢ（商標））ケーブル、または光ファイバケーブル、同軸ケーブル、もしくはイーサネットケーブル（例えば、Ｃａｔ５もしくはＣａｔ５ｅ）のような任意の他のデータケーブルであり得る。無線接続１４は、近距離無線通信（ＮＦＣ）、ＺＩＧＢＥＥ（商標）、Ｗｉ−Ｆｉ、ワイヤレスＵＳＢ（商標）、ＢＬＵＥＴＯＯＴＨ（商標）のような無線技術を介した接続であり得る。さらに、ユーザおよびモバイル・コンピューティング・システム１２の物理的存在は、通信が、認証／暗号化、鍵管理、信頼できる権限、またはローカル通信装置１１０を介して行われるハンドシェイキングのさらなる機能を含み得るということから実証され、照合され得る。したがって、さらなる機能は、配線構成１１１および／またはパワーデバイス１０７の近くのユーザおよびモバイル・コンピューティング・システム１２の物理的存在を検出する方法であり得る。さらに、例えば、悪質なコードを使用して発電システム１０を更新しようとするのを防ぐ、またはユーザまたは悪意のあるユーザが配線構成１１１の物理的に近い場所にいないときに発電システム１０を更新しようとするのを防ぐことができる。
【００４４】
一般に、モバイル・コンピューティング・システム１２上で動作するアプリケーションにより、ユーザは、（例えば、ローカル通信装置１１０を介して）システムパワーデバイス１０７、パワーデバイス１０３／１０３ａ、および／または蓄電装置（単数または複数）１１２と通信し、これらを制御し、管理し、構成することが可能になる。一般に、以下の説明において、ＧＵＩ５００の画面領域５０、５１、５２、５３、５４、５５、５６、５７、５８では、ローカル通信装置１１０のような後付け通信回路、既存の通信回路、および／または後付け通信回路と既存の通信回路と電力線通信との組み合わせを介して、サーバ３２６／ネットワーク３２４からのデータならびに１つのモバイル・コンピューティング・システム１２からのデータの別のモバイル・コンピューティング・システム１２へのアップロードおよびダウンロードを直接行うことができる。電力線通信（ＰＬＣ）は、パワーデバイス１０３／１０３ａと、例えば、通信インターフェース１２９と同様の通信インターフェースを含み得るシステムパワーデバイス（例えば、インバータ）１０７との間で電力線１２０を介して実行され得る。
【００４５】
一般に、画面領域はそれぞれ、図１Ｅに示されているスマートフォンのようなタッチスクリーンデバイスを使用してユーザがタッチまたはスワイプしたときに、多くのサブメニューオプションを表示することができるアイコンとして全体が機能し得る。サブメニューにより、例えば、ユーザは別の発電システムまたは発電システム１０の異なる別個の部分（例えば、図１Ａの接続部１５０ａ、１５０ｂ、１５０ｃ、１５０ｄで示される）を見ることができる。
【００４６】
ＧＵＩ５００は、例えば、発電システム１０の位置のようなユーザ情報、現地の日時、発電システム１０の位置の天候状態、その位置の気温、その位置の風速に関する表示を示し得るマスター画面領域５０を含み得る。現地の日時は、以下で説明する画面領域のそれぞれに共通であるが、さらに、または、例えば現地の日時の他に、他の情報も表示され得る。３つの可能なメニューボタンが表示されており、この３つのメニューボタン（メンテナンスメニューボタン、設置作業者用メニューボタン、監視メニュー）によって、モバイル・コンピューティング・システム１２上で動作するアプリケーションの３つの可能な用途を与えることができる。例えば、サイト管理機能を提供するような他のボタンが追加されてもよい。以下の説明において、画面領域の各々は、３つのボタンのうちのどのボタンが選択されるかに関係なく、ユーザに提示され得る。しかしながら、各々の画面領域は、体裁は同様であるが、３つのボタンのうちのどのボタンが選択されるかに応じて、ユーザに異なるオプションを提示し得る。さらに、例えば、ユーザ名およびパスワードを使用して、様々な領域にアクセスおよび／またはアクセスレベルが付与され得る。
【００４７】
画面領域５１は、発電システム１０内で使用され得る蓄電装置１１２のパーセンテージ（％）ＳＯＣを示す充電ステージ（ＳＯＣ）領域を含み得る。蓄電装置１１２のパーセンテージ（％）ＳＯＣは、クロスハッチングで示されている。発電システム１０内で使用される別の蓄電装置１１２へは、画面ボタン５１０を押すことでアクセスすることができる。一般に、表示される蓄電装置１１２のパーセンテージ（％）ＳＯＣは、ユーザによってタッチまたはスワイプされたときに、特定の蓄電装置１１２に関するさらなる詳細を示す別個のアイコンとしての機能も果たし得る。充電／放電履歴は、継続して定期的に、またはユーザが蓄電装置１１２の近くにいるときに、データ通信モジュール３０８を介してサーバ３２６にアップロードされ、さらなるデータの記憶および／または分析のために充電状態（ＳＯＣ）のスナップショットをアップロードすることができる。
【００４８】
蓄電装置１１２の充電プロファイルは、同様にしてサーバ３２６から蓄電装置１１２のローカル通信装置１１０にダウンロードされ得る。蓄電装置１１２のバッテリの例を使用すると、さらなる詳細は、バッテリタイプ、電圧の定格、電流アンペア時（Ａｈ）、バッテリの位置、バッテリが充電／放電された回数、バッテリの使用に基づく計画寿命の情報を含み得る。バッテリの位置は、ＧＰＳ３１０および／またはバッテリの固有の識別（ＩＤ）番号からバッテリにＧＰＳ座標を割り当てるために、モバイル・コンピューティング・システム１２がバッテリのすぐ近くにあるときに確立され得る。設置の際に、バッテリ（もしくは発電システム１０の他の構成要素）に対するＧＰＳ座標および／またはバッテリに対する固有の識別（ＩＤ）番号は、例えば、バッテリハウジングに貼り付けられ得るバーコードとして印刷され得る。発電システム１０のメンテナンスおよび／または管理の際に、ＩＤおよびＧＰＳ座標は、実際にそのバッテリが正しいバッテリであり、正確な位置にあることを照合するために、カメラ３１２を使用してスキャンされ得る。発電システム１０の設置、メンテナンス、および／管理の際に、発電システム１０の他の構成要素上のバーコードを使用して、同様の相互参照および照合が行われ得る。
【００４９】
さらに、ユーザがアイコンをタッチまたはスワイプしたときに提供されるさらなる詳細は、例えば、個々のシステムパワーデバイス１０７を使用して、遠隔で蓄電装置１１２の構成および制御を行うメカニズムを提供し得る。構成は、特定のバッテリを切断および／または使用しないオプション、例えば、あるバッテリを他のバッテリよりも優先して最初に充電されるように指定し、現在の使用に基づいて交換するバッテリをスケジュールするオプション、バッテリの充電プロファイルのパラメータを変更する、またはバッテリの充電プロファイルのアップロードおよび／または更新を可能にするオプションを含み得る。
【００５０】
画面領域５２は、２つの負荷１０９および負荷１０９が現在消費している電気パラメータの量（例えば、電力、電圧、および／または電流）のユーザに対する表示を示すことができる。画面領域５２内の画面ボタン５２０を押すと、発電システム１０内の他の負荷１０９の消費量を表示することができる。表示される２つの負荷１０９はさらに、ユーザによってタッチまたはスワイプされたときに、特定の負荷１０９に関するさらなる詳細を表示することができる別個のアイコンとして全体が機能し得る。負荷１０９に関する詳細は、例えば、特定の負荷１０９の負荷プロファイルを含み得る。負荷プロファイルはさらに、１日の需要、週日の需要、月々の需要に対する発電システムの更新可能な負荷需要履歴に関する更新情報を含み得る。負荷プロファイルは、負荷１０９への電力供給を制御するために、画面領域５２を介して更新され得、および／または構成可能であり得る。個々の負荷１０９に取り付けられ得るパワーデバイス１０３／１０３ａおよび／またはパワーデバイス１０７に対するアクセスおよび制御を行うことにより、場合により負荷１０９を切断する、または負荷１０９に供給される電圧および／または電流を変更するオプションが提供され得る。画面領域５２はさらに、現在生成されている総電力（Ｐｇｅｎ）および現在制限されているもしくは利用されていない電力量（Ｐｓｈｅｄ）を示すテキスト領域を含み得る。負荷１０９および蓄電装置１１２は発電システム１０によって現在生成されている電力をそれほど多く必要としない場合があるので、電力が制限され得る。現在制限されている電力量（Ｐｓｈｅｄ）は、ユーザに、現在接続されていない、および／または電力を取り出していない別の負荷１０９および／または蓄電装置１１２を追加することを考えるように促すことができる。いくつかの実施形態では、発電器（例えば、電源１０１）が負荷１０９および蓄電池１１２が受け取ることができるよりも多くの電力を生成することができる場合、発電器は、最大発電容量より少なく発電するように操作され得、Ｐｓｈｅｄは最大発電容量と実際の発電量との差を示し得る。
【００５１】
画面領域５３は、ストリングの現在の発電量を図形的に示すことができ、各々のストリング（Ｓｔ１、Ｓｔ２、Ｓｔ３、Ｓｔ４）の最大可能電力量（Ｍａｘ）は互いに対する相対的尺度として表され、電力量は影付きボックスの高さで示され得る。相対的尺度は、ユーザに対して、ストリングＳｔ１、Ｓｔ２、Ｓｔ３、Ｓｔ４の各々に対する電源１０１の異なる数、構成、およびタイプの可能性を示し得る。配線構成１１１は、ストリングＳｔ１、Ｓｔ２、Ｓｔ３、Ｓｔ４の例であり得る。ユーザは、メンテナンスおよび／または設置を行うときに、欠陥のあるストリングを特定して、例えば、ストリングおよびストリングの構成要素に関係する発電システム１０の特定の部分に位置するときにストリング内の様々な点における電流および電圧のさらなる詳細を取得するために画面領域５５にアクセスすることができる。一般に、モバイル・コンピューティング・システム１２上で動作するアプリケーションにより、ユーザは、（例えば、ローカル通信装置１１０を介して）システムパワーデバイス１０７、パワーデバイス１０３／１０３ａ、および／または蓄電装置（単数または複数）１１２と通信し、これらを制御し、管理し、構成することが可能になる。例として、画面領域５５は、例えば、発電システム１０の様々な構成要素から電気カバーを取り外さなくても、また危険なおよび／または時間がかかる可能性のある電気診断を行わなくても、欠陥のあるパワーデバイス１０３／１０３ａもしくは電源１０１および、または電源１０１に接続された欠陥のあるバイパスダイオードを特定するために、パワーデバイス内でバイパスユニットＱ９を利用してストリングの回路の一部を短絡させるおよび、または開放するさらなる機能を提供し得る。例えば、システムのメンテナンス要員は、画面領域５５上のオプションを使用して、（例えば、電源１０１に接続されている１つまたは複数のバイパスユニットＱ９を作動させる、またはスイッチＳ１を操作して電源からパワーデバイスに流れる電流を切断するようにパワーデバイス１０３に信号を送信することによって）１つずつ電源１０１を切断および／短絡させて、欠陥のある電源１０１および／またはパワーデバイス１０３を切断および／または短絡させることでストリングの欠陥がなくなったかどうか／ストリングの欠陥がなくなった時点をチェックすることができる。
【００５２】
画面領域５４は、太陽光パネルの互いの関係をコンパス方位に関して示したパネルマップを示し得る。ユーザの近くの太陽光パネル（電源１０１のための）および／またはモジュール１０３／１０３ａは、画面上ではユーザには影付きで示されている。ユーザは、画面を左右または上下にスワイプして、マップ上の他のパネルを表示することができる。影付きで表示されているパネルを押すまたはスワイプすることで、おそらく画面領域５５に示されているのと同様の形で、パネルのさらなる詳細を表示させることができる。画面領域５５には、パネルとパワーデバイス１０３／１０３ａとの間の様々な接続点における電圧および電流と共に、パネルのＩＤ番号（ＩＤ  ＸＸ）およびパワーデバイス１０３のＩＤ番号（ＩＤ  ＹＹ）が表示される。
【００５３】
例えば、画面領域５５により、ユーザは、ストリングおよびストリングの構成要素に関係する発電システム１０の特定の部分に位置するストリング（例えば、画面領域５３に示されているストリングＳｔ１、Ｓｔ２、Ｓｔ３，Ｓｔ４）内の様々な点における電流および電圧のさらなる詳細を取得することができる。ユーザは、画面領域５５を左右または上下にスワイプして、ストリングの他の部分または他のストリングを表示させることができる。ユーザは、メンテナンスおよび／または設置を行うときに、欠陥のあるストリングを特定し、例えば、ストリングおよびストリングの構成要素に関係する発電システム１０の特定の部分に位置するときにストリング内の様々な点における電流および電圧のさらなる詳細を取得するために画面領域５５にアクセスすることができる。画面領域５５は、例えば、（電流が流れている接点が露出されるために）危険であり、時間がかかる可能性がある発電システム１０の構成要素の様々なハウジングからの電気分離カバーの取り外しおよび／または再取り付けをしなくても、欠陥のあるパワーデバイス１０３／１０３ａもしくは電源１０１を特定するために、パワーデバイス内でバイパスユニットＱ９を利用してストリングの回路の一部を短絡させるおよび、または開放するさらなる機能を提供し得る。さらに、電気分離カバーの様々なハウジングから電気分離カバーを取り外して再び取り付ける回数を少なくすることは、電気分離カバーのシールの完全性を保持するのを助け得る。さらに、不必要な取り外しおよび再取り付けを避けることによって電気分離カバーのシールの完全性を保持することにより、発電システム１０の構成要素の内部回路を損傷し得る水および／または埃塵のような汚染物質の侵入から継続して保護することができる。
【００５４】
画面領域５６は、ユーザの近くの負荷１０９を示しており、画面上ではユーザには影付きで示されている。システムパワーデバイス１０７は、配線構成１１１に接続された状態で示されており、１つのシステムパワーデバイス１０７は蓄電装置１１２に接続されている。配線構成１１１を示す要素を押すまたはスワイプすることで、画面領域５５に示されているような配線構成１１１のさらなる詳細を表示することができる。ユーザは、画面を左右または上下にスワイプして、例えば、発電システム１０の他の部分を表示させることができる。さらに、画面領域５６は、例えば、システムパワーデバイス１０７の既存のプロセッサの代わりに、もしくは既存のプロセッサに追加して、プロセッサ２００を使用することで、システムパワーデバイス１０７の代替もしくは追加の制御機能の通信、構成および制御を行うユーザインターフェースとしての機能も果たし得る。
【００５５】
電気設備は、使用年数相応に劣化し得るので、継続使用を満たす状態であるかどうかを定期的に点検するために検査および試験がなされなければならない。電気設備の安全点検は、一般に、定期検査および試験と呼ばれる。設備の定期検査および試験の目的は、いずれかの電気回路もしくは電気機器が過負荷状態であるかどうかを明らかにし、あらゆる潜在的な電気ショックのリスクおよび火災の危険を発見し、欠陥のある電気工事を特定し、接地またはボンディングの不足を強調し、場合によっては回路内の回路のスケジュールおよび互いの関係および適切なＩＤならびに通知の存在を特定することである。潜在的に誘発される出力低下（Ｐｏｔｅｎｔｉａｌ  Ｉｎｄｕｃｅｄ  Ｄｅｇｒａｄａｔｉｏｎ：ＰＩＤ）は、一部の太陽光パネルの望ましくない特性である。ＰＩＤ（電圧、熱、湿度）を可能にする要因は、例えば、電源１０１のための太陽光の太陽電池パネルを含み得る発電システム１０内に存在し得る。上記および下記の特徴に従って一定期間にわたって測定および検知されるパラメータを監視および記録することで、太陽光太陽電池パネルを含み得る大規模の発電システムにおいて重要であり得るＰＩＤに対する脆弱性を試験することができる。試験はさらに、ＰＩＤを生じさせるメカニズムが可逆的であるかどうかを判断することができ、測定を軽減することが必要であるかどうか、およびどんな測定が適切であるかを判断することができる。
【００５６】
定期検査はさらに、摩滅の範囲、損傷または他の劣化、危険な状態につながった、またはつながる可能性のある設備の使用の変更を明らかにすることができる。設置設備に関して上述した特徴はさらに、新しい設備の設置のプロセスの一部として、またはメンテナンスおよび／または既存の設備への新たな追加の一部として含まれ得る。以下の説明において、同じ画面領域の各々は、どのボタンが選択されるかに関係なく、ユーザに提示され得る。しかしながら、各々の画面領域は、体裁は同様であるが、どのボタンが選択されるかに応じて、ユーザに異なるオプションを提示し得る。さらに、例えば、ユーザ名およびパスワードを使用して、様々な領域にアクセスおよび／またはアクセスレベルが付与され得る。したがって、メンテナンスポータル用および設置ポータル用の画面をそれぞれ示す画面領域５７、５８は、共通の特徴および機能を共有し得る。
【００５７】
画面領域５７は、ユーザが目視検査メニュー５７０から選択することができるメンテナンスポータル用の画面を示す。目視検査メニュー５７０は、ユーザが設備の目視検査を行ったときに結果を報告することができるように、タスクのチェックリストおよびユーザによる記入領域を提供し得る。タスクのチェックリストは、設置作業者またはメンテナンス要員が、有資格者のみが現場で行う全てのステップに従うことができるように、および／または（例えば、品質、調整、および故障解析のために）行われているステップの記録および監視をリアルタイムで、またはほぼリアルタイムで行うことができるように支援し得る。目視検査の項目は、パワーデバイス１０３／１０３ａ、システムパワーデバイス１０７、電源１０１、および蓄電装置１１２のようなアイテムが実際に正確に参照されているか、正確な位置にあるか、互いの接続方法に関して互いに正確に照合されているかを相互参照するために、例えば、カメラ３１２を使用してスキャンされ得るバーコード上のＩＤおよびＧＰＳ座標を含み得る。目視検査の項目は、風化または過電流および／もしくは過電圧による熱損傷によって損傷されているものがあるかどうかを確認するために、ケーブルおよびコネクタの状態を含み得る。電源１０１が太陽電池パネルである場合、目視検査では、パネル表面が、例えば、たまった埃塵または雪によってどのような影響を受け得るかに留意することができる。したがって、故障メニューボタン５７２を選択することによって、あらゆる問題が記録され、および／または報告され得る。潜在的故障の詳細はさらに、例えば、カメラ３１２で、ＩＤおよび／または位置と共に故障の可能性のある箇所の写真を撮ることによって報告を改善する可能性を含み得る。発電システム１０の一部に欠陥があることがわかった場合、交換部品を報告して、交換部品メニュー５７４から発注することができる。
【００５８】
定期的検査メニュー５７６は、実行される日々のメンテナンスおよび実行される設置の試験および検査のための領域を含み得る。定期検査メニュー５７６の部分は、設置および／またはメンテナンスを実行する要員のためにタスクのチェックリストを開始することができるバーコード／ＩＤをスキャンすることができる。設置および／またはメンテナンスは、目視検査および／または目に見える故障または損傷の写真による報告の可能性を含み得る。設置および／またはメンテナンスでは、接地／ボンディングが適切な位置で行われているかをチェックして、絶縁抵抗、正しい極性、導通チェック、漏電のような電気試験結果の測定値を記録することができる。設置および／またはメンテナンスは、確実に所定の安全性パラメータの範囲内で機能を果たすことができるように、残留電流装置（ＲＣＤ）、ヒューズ、および断路器の有効性の試験を含み得る。
【００５９】
画面領域５８は、例えば、ユーザが試運転メニュー５８０から選択することができる設置作業者用ポータル用の画面を示す。試運転メニュー５８０は、同様に検査メニュー５７６の特徴を含み、また設備内に現在アイテムが設置されている進捗状況（サーバ３２６にアップロードされ得る）を追跡することができる機能を含み得る。試運転メニュー５８０により、例えば、設置作業者またはメンテナンス要員は、モバイル・コンピューティング・システム１２を太陽光パネルの表面に配置すると同時に、太陽光パネルの方位を測定および／または調整することができる。ジャイロスコープ／加速度計３２８と共に動作するＧＰＳ３１０は、パネルが正確な方位を有するかどうかについて、ディスプレイ３０６および／または２０６上に可視表示することができる。その後、検査メニュー５７６の記録されている進捗状況および検査メニュー５７６の特徴と同様の特徴を使用して、発電システムの安全な運転を証明することができる。検査メニュー５７６の特徴を使用した証明の一部として記録された項目は、その後、発電システムの後の検査および試験の一部として後の段階で比較の基準として使用され得る。さらに、設置作業者またはメンテナンス要員がネットワーク３２４／サーバ３２６を介して発電システム内の特定の構成要素の態様について技術的な質問をすることができるリアルタイムヘルプメニュー５８２が設けられ得る。携帯無線メニュー５８４は、設置および／またはメンテナンス機能を実行している要員間の双方向通話を可能にし得、一方が離れた場所に位置し、他方が、例えば、何らかのスイッチをオンまたはオフする、回路を断路する、ケーブルに電力を供給する、または工具を取って来るようにという迅速な要求を相手に出すことができる。
【００６０】
画面領域５７、５８により、発電システム（例えば、発電システム１０）の問題や非効率性のオンライン診断を可能にする規定を設けることができる。発電システム内の問題および非効率性を示し得る測定データは、設置作業者またはメンテナンス要員に接続されている間に測定されたデータの分析に基づいてマーケティングおよび／またはサポートのアドバイスを提供することができる要員に、モバイル・コンピューティング・システム１２を介してアップロードされ得る。分析に基づくマーケティングおよび／またはサポートのアドバイスは、例えば、設置作業者またはメンテナンス要員に、未使用である多くの電力を後で使用するために蓄えることができることを実現することによって、蓄電システムを追加させることに基づく。
【００６１】
図６Ａを参照すると、図６Ａは、本開示の例示的な態様に係る方法６００のフローチャートであり、再び図４を参照したフローチャートである。ハウジング４６は、ローカル通信装置１１０とモバイル・コンピューティング・システム１２との間のケーブル１６の接続を可能にするデータコネクタ４４を含み得るシステムパワーデバイス１０７を収容し得る。ケーブルグランド４０ａ、４０ｂは、図１Ｂの電力線１２０（図４には図示せず）の導体をハウジング４６内部で終端させることができるように電力線１２０を挿入および固定するのに使用され得る。システムパワーデバイス１０７は、後付け通信システムを受容するように設計されたシステムパワーデバイスとして示されている。後付け（ステップ６０１）は、ハウジング４６内へのローカル通信装置１１０（図４には図示せず）の取り付け、電気的終端処理、および配置を含み得（ステップ６０３）、ハウジング４６は、ディスプレイ２０６がハウジング４６のフロントパネルに取り付けられるように修正される。あるいは、ディスプレイ２０６は、上述したＧＵＩ５００の機能のいくつかを提供し得る、ハウジング４６のフロントパネルに取り付けられたタッチスクリーンであり得る。さらに、ステップ６０１の後付けは、ローカル通信装置１１０に接続するデータコネクタ４４の取り付けを含み得る。あるいは、ローカル通信装置１１０は、システムパワーデバイス１０７またはパワーデバイス１０３のすぐ近くに、または近くに取り付けられ得る。
【００６２】
図６Ｂを参照すると、図６Ｂは、本開示の例示的な態様に係る方法６１０のフローチャートである。以下の説明において、記憶装置２０２および／または３０２のようなコンピュータ可読媒体には、モバイル・コンピューティング・システム１２を実行するのに使用され得るプログラムコードが記録され得る。ディスプレイ３０６および／またはディスプレイ２０６上のグラフィカル・ユーザ・インターフェース５００は、ユーザ用の入力デバイスとして利用され得る。入力デバイスは、ユーザがパワーモジュール１０３／１０３ａおよびシステムパワーデバイス１０７のすぐ近くにいるときに利用され得る。
【００６３】
ステップ６１５において、モバイル・コンピューティング・システム１２は、上述の方法６００に従ってパワーモジュール１０３／１０３ａおよびシステムパワーデバイス１０７内に後付けされ得るローカル通信装置１１０に接続し得る。ローカル通信装置１１０への接続は、例えば、近距離無線通信（ＮＦＣ）、ＺＩＧＢＥＥ（商標）、Ｗｉ−Ｆｉ、ワイヤレスＵＳＢ（商標）、ＢＬＵＥＴＯＯＴＨ（商標）のような無線技術および、またはケーブル１６を介した接続であり得る。あるいは、ローカル通信装置１１０と同様の通信装置がすでにパワーモジュール１０３／１０３ａおよびシステムパワーデバイス１０７の一体部品であってもよい。ステップ６１５において、ローカル通信装置１１０に接続されたモバイル・コンピューティング・システム１２は、ユーザおよび／またはモバイル・コンピューティング・システム１２がローカル通信装置１１０のすぐ近くに位置するときに応答して確立され得る。ステップ６１７において、ユーザおよび／またはモバイル・コンピューティング・システム１２がローカル通信装置１１０のすぐ近くに位置するときに、ユーザの認証情報が認証され得る。ＧＵＩ５００を提供するためにモバイル・コンピューティング・システム１２上で動作するアプリケーションは、ユーザからのユーザ名ならびにパスワードもしくは暗号化、鍵管理、信頼できる権限、またはローカル通信装置１１０とモバイル・コンピューティング・システム１２との対話によって行われるハンドシェイキングを要求し得る。あるいは、対話は、ディスプレイ２０６上に提供されるＧＵＩ５００と同様のＧＵＩとの対話であり得、同様の要求はさらに、ユーザからのユーザ名ならびにパスワード、および／またはユーザがディスプレイ２０６上に提供されたＧＵＩを操作することができるようにするスマートカードを所持していることを含み得る。
【００６４】
したがって、ステップ６１７におけるユーザの対話により、ユーザの存在が検出され、判定ステップ６１９において、ユーザの認証情報が認証され得る。判定ステップ６１９において、ユーザの認証情報および／またはモバイル・コンピューティング・システム１２がローカル通信装置１１０の近くにある場合、ステップ６２１においてローカル通信装置１１０のグラフィカル・ユーザ・インターフェースおよび／またはモバイル・コンピューティング・システム１２上のＧＵＩ５００が操作され得る。そうでない場合、ユーザは、ステップ６１５において、モバイル・コンピューティング・システム１２をローカル通信装置１１０もしくはスマートカード（ユーザがディスプレイ２０６上に提供されたＧＵＩを操作することができるようにする）に接続するのを試みなければならない可能性がある。いずれかの時点でユーザがその場から離れ、判定ステップ６１９においてモバイル・コンピューティング・システム１２とローカル通信装置１１０との接続が切断された場合、ステップ６１７において再びユーザの存在が検出されなければならず、再び判定ステップ６１９においてユーザの認証情報が再認証されなければならない可能性がある。
【００６５】
緊急時に（例えば、太陽電池パネルから出火したときに）、消防署がその担当する地理的エリア（単数または複数）に設置されている発電システムの認定ユーザの認証情報を取得して、消防署の隊員が自分のモバイル・コンピューティング・システム上で動作するＧＵＩを使用して発電システムにアクセスして発電システムを制御する場合もある。いくつかの実装では、消防署は、サービスエリア（単数または複数）の郵便番号（単数または複数）で公開データベースを検索して、サービスエリア（単数または複数）内に設置されている全ての発電システムの認定ユーザの認証情報を取得する場合がある。消防署は、緊急事態が発生している発電システムの住所で公開データベースを検索して、発電システムの認定ユーザの認証情報を取得する場合がある。いくつかの他の実装では、発電システムの所有者が消防署に認証情報を提供する場合がある。場合によっては、消防署は、発電システムの所有者によって、消防署が担当する地理的エリア（単数または複数）内に設置されている全ての発電システムにアクセスするのに使用され得る汎用認証情報が提供される場合もある。
【００６６】
ステップ６１５において、ディスプレイ２０６上に表示されるＧＵＩおよび／またはモバイル・コンピューティング・システム１２上のＧＵＩ５００を操作する機能は、例えば、必要な場合に、パワーモジュール１０３／１０３ａおよび／またはシステムパワーデバイス１０７のファームウェアバージョンを新しいファームウェアバージョンで更新することができる。そのため、パワーモジュール１０３／１０３ａおよび／またはシステムパワーデバイス１０７のファームウェア更新は、モバイル・コンピューティング・システム１２によるサーバ３２６への接続から、またはサーバ３２６への接続が利用できない場合に記憶装置３０２から行われ得る。
【００６７】
ステップ６１５において、例えば、ディスプレイ２０６上に提供されるＧＵＩおよび／またはモバイル・コンピューティング・システム１２上のＧＵＩ５００は、ユーザが従うタスクスケジュールを提供し得る。ユーザは、タスクスケジュールに従って電力システムの周囲を移動しながら、モバイル・コンピューティング・システム１２を介して、パワーモジュール１０３／１０３ａおよび／またはシステムパワーデバイス１０７上でタスクが実行された後に得られたデータをサーバ３２６にアップロードすることができる。データのアップロードは、ユーザが特定のパワーモジュール１０３／１０３ａおよび／またはシステムパワーデバイス１０７の近くにいる状況で、データが自動的に特定のパワーモジュール１０３／１０３ａおよび／またはシステムパワーデバイス１０７の情報を含むように行われ得る。情報は、特定のパワーモジュール１０３／１０３ａおよび／またはシステムパワーデバイス１０７のファームウェアバージョン、ＧＰＳ座標、および一意のＩＤ番号を含み得る。
【００６８】
ステップ６１５において、例えば、ストリングＳｔ１、Ｓｔ２、Ｓｔ３、Ｓｔ４のようなストリングが（配線構成１１１は、ストリングＳｔ１、Ｓｔ２、Ｓｔ３、Ｓｔ４の例であり得る）試験され得る。ストリングの試験は、例えば、直列ストリングを形成する直列接続のパワーモジュール１３０／１０３ａの出力を短絡させるために、各々のストリング内にバイパスユニットＱ９を適用することによって行われ得る。バイパスユニットＱ９の適用は、ユーザがストリングに沿って移動することにより行われ得る、または各々のバイパスユニットＱ９の適用は、ストリングを通る電力線通信を介して特定のパワーモジュール１０３／１０３ａおよび／またはシステムパワーデバイス１０７に伝達され得る。したがって、バイパスユニットＱ９の適用は、例えば、直列ストリングにおける潜在的故障状態を特定するのに使用され得る。ＧＵＩ５００を使用してストリングを試験することにより、パワーモジュール１０３／１０３ａまたはシステムパワーデバイス１０７のハウジングおよび回路がハウジングの外部の環境に露出されることにより損傷するのを軽減することができる。したがって、パワーモジュール１０３／１０３ａまたはシステムパワーデバイス１０７の回路を検査および試験するために再封止可能なアクセス部を通過することによるハウジングの再封止可能なアクセス部の損傷は、ＧＵＩ５００を使用する試験により最小限に抑えられ得る。
本開示の１つまたは複数の例示的な態様は、以下でより詳細に説明する様々なコンピュータハードウェアコンポーネントを含む汎用または特殊目的のコンピュータシステムを含み得る。本明細書内の様々な実施形態は、コンピュータ実行可能命令、コンピュータ可読命令、またはデータ構造を搭載および記憶するためのコンピュータ可読媒体をさらに含み得る。このようなコンピュータ可読媒体は、汎用または特殊目的のコンピュータシステムによってアクセス可能であり得る任意の入手可能な媒体であり得る。例として、限定的ではないが、このようなコンピュータ可読媒体は、非一過性のコンピュータ可読媒体を含み得る。このようなコンピュータ可読媒体は、ＲＡＭ、ＲＯＭ、ＥＰＲＯＭ、フラッシュディスク、ＣＤ−ＲＯＭもしくは他の光ディスク記憶装置、磁気ディスク記憶装置もしくは他の磁気記憶装置のような物理的な記憶媒体、またはコンピュータ実行可能命令、コンピュータ可読命令、またはデータ構造の形態で所望のプログラムコード機構を搭載または記憶するために使用され得、かつ汎用または特殊目的のコンピュータシステムによってアクセス可能であり得る任意の他の媒体を含み得る。
【００６９】
本明細書および以下の特許請求の範囲において、「コンピュータシステム」は、１つまたは複数のソフトウェアもしくはファームウェアモジュール、１つまたは複数のハードウェアモジュール、または協働して電子データ上で動作を実行する、これらの組み合わせとして定義され得る。例えば、コンピュータシステムの定義は、パーソナルコンピュータのハードウェアコンポーネント、およびパーソナルコンピュータのオペレーティングシステムのようなソフトウェアもしくはファームウェアモジュールを含み得る。モジュールの物理的配置は、重要でない場合がある。コンピュータシステムは、コンピュータネットワークを介して接続された１つまたは複数のコンピュータを含み得る。同様に、コンピュータシステムは、内部モジュール（例えば、メモリおよびプロセッサ）が協働して電子データ上で動作を実行する１つの物理的デバイス（例えば、スマートフォン）を含み得る。いずれかのコンピュータシステムは移動式であり得るが、用語「モバイル・コンピュータ・システム」は、特に、ラップトップコンピュータ、ネットブックコンピュータ、携帯電話、スマートフォン、無線電話、携帯情報端末、タッチスクリーンを備えたポータブルコンピュータなどを含み得る。
【００７０】
本明細書および以下の特許請求の範囲において、「ネットワーク」は、２つ以上のコンピュータシステムがデータ交換することができる任意のアーキテクチャとして定義され得る。用語「ネットワーク」は、広域ネットワーク、インターネット・ローカルエリア・ネットワーク、イントラネット、「Ｗｉ−Ｆｉ」のような無線ネットワーク、仮想プライベートネットワーク、アクセス・ポイント・ネーム（ＡＰＮ）とインターネットとを使用するモバイルアクセスネットワークを含み得る。交換データは、２つ以上のコンピュータシステムにとって意味を持つ電気信号の形態であり得る。ネットワークもしくは別の通信接続（有線、無線、または有線もしくは無線の組み合わせ）を介してデータがコンピュータシステムもしくはコンピュータデバイスに転送または送信され得るときに、接続は、厳密にはコンピュータ可読媒体として見なされ得る。したがって、このような接続を、厳密にはコンピュータ可読媒体と呼んでよい。さらに、上述の組み合わせもコンピュータ可読媒体の範囲に含めるべきである。コンピュータ可読媒体は、例えば、汎用コンピュータシステムまたは特殊目的コンピュータシステムに特定の機能または機能群を実行させる命令およびデータを含む。
【００７１】
本明細書で使用されている用語「サーバ」は、一般にコンピュータネットワーク経由でサービスを提供するように構成されたプロセッサ、データ記憶装置、およびネットワークアダプタを含むコンピュータシステムを指す。サーバによって提供されたサービスを受け取るコンピュータシステムは、「クライアント」コンピュータシステムとして周知であり得る。本明細書で使用されている用語「データ」は、処理済みアナログ信号を指し、処理は、コンピュータシステムにアクセス可能なデジタル情報へのアナログ・デジタル変換を含む。
【００７２】
本明細書では要素間の様々な接続部について述べられていることに気付くであろう。これらの接続は、一般に、特別の定めのない限り、直接的または間接的な接続で有り得、本明細書は、この点において制限することを意図しない。さらに、一実施形態の要素は、適切な組み合わせまたは部分的組み合わせの形で他の実施形態の要素と組み合わせられてよい。上述の例は、電源１０１、パワーデバイス１０３／１０３ａ、システムパワーデバイス１０７、蓄電装置１１２、および負荷１０９に適用されるローカル通信装置１１０のような後付け回路が、モバイル・コンピューティング・システム１２のＧＵＩ５００に、ユーザに有用であり得る様々な機能モードを提供させ得る方法を示したものである。ＧＵＩ５００によって提供される機能モードは、ＧＵＩ５００のユーザが発電システム１０の各々の構成要素のすぐ近くにいるときに、連系発電システム１０内での設置、メンテナンス、および／または監視の際に利用され得る。モバイル・コンピューティング・システム１２の機能により、ローカル通信装置１１０および／または別の同様の通信装置が取り付けられた構成要素のファームウェア更新が可能になる。さらに、発電システム１０の構成要素のすぐ近くでＧＵＩ５００を使用するモバイル・コンピューティング・システム１２の機能により、例えば、メンテナンスを実施する、または新しい設備を設置するように委託された要員を監視することができる。ローカル通信装置１１０および／または別の同様の通信装置が取り付けられた構成要素のファームウェア更新は、ユーザが発電システム１０の構成要素のすぐ近くにいるときに、ＧＵＩ５００を使用してモバイル・コンピューティング・システム１２に予め記憶されているデータから、および／またはネットワーク３２４を介してサーバ３２６からファームウェア更新が可能である。モバイル・コンピューティング・システム１２に予め記憶されているデータからのファームウェア更新は、ネットワーク３２４を介するサーバ３２６に対する接続が利用できないときに利用され得る。ファームウェア更新は、さらに発電システム１０の構成要素間の既存の電力線通信を利用して、既存の電力線通信とインターフェースをとり得る。
【００７３】
代替的に、または追加的に、上述の実施形態によれば、ＧＵＩ５００の使用は、テキスト、音声、ビデオストリーミングなどを介してサポートチームとのインタラクティブな会話を提供し得る。サポートチームは、データにアクセスし、および／またはＧＵＩ５００を介してサポートチームと通信しているメンテナンスおよび／または設置要員が入手可能な手続きをサポートすることができる。１つまたは複数の実施形態の別の特徴によれば、モバイル・コンピューティング・システム１２は、パワーデバイス１０３／１０３ａ、システムパワーデバイス１０７、蓄電装置１１２、および負荷１０９からの情報を、ローカル通信装置１１０もしくはクイックレスポンス（ＱＲ）コード、バーコード、または発電システムの様々な構成要素に貼り付けられた別のタイプのラベルから取得することができる。これらの情報により、メンテナンスおよび／または設置要員は、タスクのチェックリストに従って、電力システムの周囲を移動して発電システム上でタスクを実行しながら、発電システムの様々な構成要素を構成することができる。
【００７４】
携帯無線メニュー５８４はさらに、発電システムの現場で作業している２人以上の人のための通信を提供し得る。発電システムは、２つ以上の異なる位置に、インバータ（例えば、システムパワーデバイス１０７はインバータである）を有し得、１つのインバータはマスター、１つまたは複数のインバータはスレーブである。マスターは、ＧＵＩ５００を介して全ての他のインバータを構成し得る。あるいは、マスターインバータは、ゲートウェイであるモバイル・コンピューティング・システム１２の代替として、またはそれに加えて、電力線通信（ＰＬＣ）によって、構成を１つまたは複数のスレーブインバータに伝達し得る。携帯無線メニュー５８４により、例えば、１つまたは複数のモバイル・コンピューティング・システム１２から構成データを取り出して、その構成データを別のモバイル・コンピューティング・システム１２に直接送信することができる。１つまたは複数のモバイル・コンピューティング・システム１２からの構成データは、ローカル通信装置１１０のような後付け通信回路、既存の通信回路、および／または後付け通信回路と既存の通信回路と電力線通信との組み合わせを介して、別のモバイル・コンピューティング・システム１２に送信され得る。
【００７５】
ローカル通信装置１１０の実施形態はさらに、電力線に磁気的に結合され得る電力線通信（ＰＬＣ）装置を含むように実現され得、磁気結合は、配線構成１１１をシステムパワーデバイス１０７および負荷１０９に相互接続する電力線への直接的な電気接続を必要としない場合がある。ＰＬＣ装置は、クランプ機構を介して電力ケーブルに接続し得、発電システム１０内の様々な装置の監視および制御を行うために、発電システム１０の様々な部品間の通信を可能にし得る。クランプ機構はさらに、ローカル通信装置１１０に電力を供給する機構を提供し得る。
【００７６】
記載されている実施形態および従属クレームの全ての随意の好適な特徴および修正形態は、本明細書で教示されている本発明の全ての態様において使用可能である。さらに、従属クレームの個々の特徴、および記載されている実施形態の全ての随意の好適な特徴および修正形態は、互いに組み合わせ可能であり、置き換え可能である。
様々な特徴がさらに以下の条項で記載されている。
［条項１］
メモリに接続され、システムパワーデバイスにインターフェースで接続するように構成された１つまたは複数のプロセッサと、
１つまたは複数のプロセッサに動作可能に取り付けられた通信インターフェースと
を備える装置であって、
通信インターフェースは、ユーザのモバイル・コンピューティング・システムに接続するように構成され、
ユーザおよびモバイル・コンピューティング・システムが装置のすぐ近くに位置するときに応答して接続が確立され、ユーザの認証情報が認証される、前記装置。
［条項２］
１つまたは複数のプロセッサおよび通信インターフェースは、システムパワーデバイスに動作可能に接続される、条項１に記載の装置。
［条項３］
システムパワーデバイスのハウジングに収容される１つまたは複数のプロセッサおよび通信インターフェースは、システムパワーデバイスに後付けする部品である、条項１に記載の装置。
［条項４］
プロセッサおよび通信インターフェースは、システムパワーデバイスのハウジングに収容される、条項１に記載の装置。
［条項５］
プロセッサおよび通信インターフェースは、サーバに取り付けられたモバイル・コンピューティング・システムからシステムパワーデバイスのファームウェアを提供するように構成される、条項１に記載の装置。
［条項６］
プロセッサおよび通信インターフェースは、モバイル・コンピューティング・システムを介してメモリからサーバにデータをアップロードするように構成される、条項１に記載の装置。
［条項７］
通信インターフェースは、モバイル・コンピューティング・システムがシステムパワーデバイスの近くにあることに応答して、モバイル・コンピューティング・システムからグローバル・ポジショニング・システム（ＧＰＳ）座標をシステムパワーデバイスに割り当てるように構成される、条項２に記載の装置。
［条項８］
プロセッサに動作可能に取り付けられ、システムパワーデバイスのハウジングの表面に取り付けられるディスプレイをさらに備える、条項３に記載の装置。
［条項９］
プロセッサとシステムパワーデバイスとの間に動作可能に取り付けられ、システムパワーデバイスのパラメータを検知するように構成されたセンサおよびセンサインターフェースをさらに備え、パラメータは、電圧、電流、電力、温度、放射照度、クーロン電気量からなるパラメータ群から選択される、条項１に記載の装置。
［条項１０］
システムパワーデバイスは、
システムパワーデバイスの入力またはシステムパワーデバイスの出力を迂回させるように構成されたバイパスユニットであって、モバイル・コンピューティング・システムのグラフィカル・ユーザ・インターフェース（ＧＵＩ）から操作可能であるバイパスユニットをさらに備える、条項１に記載の装置。
［条項１１］
システムパワーデバイスは、直流電流（ＤＣ）−交流電流（ＡＣ）コンバータである、条項１に記載の装置。
［条項１２］
システムパワーデバイスは、直流電流（ＤＣ）−ＤＣコンバータである、条項１に記載の装置。
［条項１３］
システムパワーデバイスは、蓄電装置に接続される、条項１に記載の装置。
［条項１４］
（ａ）１つまたは複数のプロセッサと、（ｂ）通信インターフェースと、（ｃ）メモリとを有する後付け回路をシステムパワーデバイスに後付けするステップであって、システムパワーデバイスは、後付け回路に動作可能に接続された少なくとも１つのセンサユニットと少なくとも１つのバイパスユニットとを含む、後付けステップと、
後付け回路をシステムパワーデバイスのハウジングに収容するステップと、
モバイル・コンピューティング・システムを後付け回路に通信可能に接続するステップであって、接続は、ユーザおよびモバイル・コンピューティング・システムが後付け回路のすぐ近くに位置するときに応答して確立される、接続ステップと、
ユーザの認証情報を認証して、ユーザおよびモバイル・コンピューティング・システムが後付け回路のすぐ近くに存在することを検出するステップと、
接続および認証に応答して、モバイル・コンピューティング・システムのグラフィカル・ユーザ・インターフェース（ＧＵＩ）を操作するステップと
を含む方法。
［条項１５］
操作するステップは、少なくとも１つのセンサユニットおよび少なくとも１つのバイパスユニットの制御および監視を行う、条項１４に記載の方法。
［条項１６］
操作するステップは、ハウジングの再封止可能なアクセス部を閉鎖状態で維持することによりシステムパワーデバイスの電流が流れている接点の不必要な露出を防ぐ、条項１４に記載の方法。
［条項１７］
操作するステップは、システムパワーデバイスがハウジングの外部の環境に露出されることによって生じるシステムパワーデバイスの損傷を軽減し、損傷は、ハウジングの再封止可能なアクセス部を開放することによって生じ、制御および監視することにより、再封止可能なアクセス部からシステムパワーデバイスに繰り返しアクセスすることが実質的に最小限に抑えられる、条項１５に記載の方法。
［条項１８］
システムパワーデバイスの損傷は、再封止可能なアクセス部の二次的損傷により、システムパワーデバイスがハウジングの外部の環境に露出されることによって生じる、条項１７に記載の方法。
［条項１９］
操作するステップは、モバイル・コンピューティング・システムによって提供されたサーバへの接続からシステムパワーデバイスのファームウェアの更新を行う、条項１４に記載の方法。
［条項２０］
操作するステップは、
タスクスケジュールを提供するステップ、および
タスクスケジュールに従ってシステムパワーデバイス上でタスクが実行された後に得られたデータをモバイル・コンピューティング・システムを介してサーバにアップロードするステップ
を含む、条項１４に記載の方法。
［条項２１］
システムパワーデバイスのタスクスケジュールは、設置スケジュール、メンテナンススケジュール、操作スケジュール、検査および試験スケジュールからなるスケジュール群から選択される、条項２０に記載の方法。
［条項２２］
作業要員がタスクスケジュールに従うことで、作業要員のＧＵＩの使用に応答して作業要員の動作を監視することができ、監視データはモバイル・コンピューティング・システムを介してサーバにアップロード可能である、条項２０に記載の方法。
［条項２３］
個々のパワーモジュールの入力に結合された複数の電源と、
パワーモジュールの入力および出力に動作可能に結合された複数のセンサと、
パワーモジュールの個々の出力に動作可能に結合された複数のバイパス回路であって、パワーモジュールの出力は、複数のパワーデバイスにわたって複数の直列接続が適用されるように直列接続で結合された、複数のパイパス回路と、
パワーモジュールおよびパワーデバイスの両方に動作可能に取り付けられた複数の通信インターフェースと
を備える発電システムであって、
通信インターフェースは、ユーザのモバイル・コンピューティング・システムに対する複数の通信接続を提供するように構成され、
通信接続は、ユーザおよびモバイル・コンピューティング・システムがパワーモジュールまたはパワーデバイスのすぐ近くに位置するときに応答して確立され、モバイル・コンピューティング・システムおよびユーザの認証情報が照合され、そのことにより、ユーザおよびモバイル・コンピューティング・デバイスがパワーモジュールまたはパワーデバイスの近くに存在することが検出される、発電システム。
［条項２４］
個々のパワーモジュールの入力に結合された複数の電源と、パワーモジュールの入力および出力の両方に動作可能に結合された複数のセンサと、パワーモジュールの個々の出力に動作可能に結合された複数のバイパス回路であって、パワーモジュールの出力は、複数のパワーデバイスの入力にわたって複数の直列接続が適用されるように直列接続で結合された、バイパス回路と、パワーモジュールおよびパワーデバイスの両方に動作可能に取り付けられた複数の通信インターフェースとを含む相互接続発電システムを、グラフィカル・ユーザ・インターフェース（ＧＵＩ）およびモバイル・コンピューティング・システムからのユーザ入力を使用して更新、制御、および監視する方法であって、
モバイル・コンピューティング・システムをパワーモジュールまたはパワーデバイスに通信可能に接続して、パワーモジュールまたはパワーデバイスの近くにモバイル・コンピューティング・システムが存在することを検出するステップと、
検出に応答して、モバイル・コンピューティング・システムのユーザと通信して、ユーザの認証情報を照合するステップと、
パワーモジュールまたはパワーデバイスの現在のファームウェアバージョンを確立するステップと、
ファームウェアバージョンの確立に応答して、必要であれば、パワーモジュールまたはパワーデバイスのファームウェアバージョンを新しいファームウェアバージョンで更新するステップと
を含む、前記方法。
［条項２５］
センサおよびバイパス回路を制御および監視するステップをさらに含む、条項２４に記載の方法。
［条項２６］
モバイル・コンピューティング・システムによって提供されたサーバへの接続から、パワーモジュールまたはパワーデバイスのファームウェアを更新するステップをさらに含む、条項２４に記載の方法。
［条項２７］
タスクスケジュールを提供するステップと、
タスクスケジュールに従ってパワーモジュールまたはパワーデバイス上でタスクが実行された後に得られたデータを、モバイル・コンピューティング・システムを介してサーバにアップロードするステップをさらに含む、条項２４に記載の方法。
［条項２８］
直列接続部の各々にバイパス回路を適用することによって直列接続部の各々を試験して、直列接続部の各々の故障状態を潜在的に特定するステップをさらに含む、条項２４に記載の方法。
［条項２９］
試験するステップは、パワーモジュールまたはパワーデバイスのハウジングおよびパワーモジュールまたはパワーデバイスの回路のハウジングの外部の環境に晒されることによる損傷を軽減し、損傷は、ハウジングの再封止可能なアクセス部を開放することによって生じ、試験するステップにより、再封止可能なアクセス部からパワーモジュールまたはパワーデバイスに繰り返しアクセスすることが実質的に最小限に抑えられる、条項２８に記載の方法。
［条項３０］
個々のパワーモジュールの入力に結合された複数の電源と、パワーモジュールの入力および出力の両方に動作可能に結合された複数のセンサと、パワーモジュールの個々の出力に動作可能に結合された複数のバイパス回路であって、パワーモジュールの出力は、複数のパワーデバイスの入力にわたって複数の直列接続が適用されるように直列接続で結合された、バイパス回路と、パワーモジュールおよびパワーデバイスの両方に動作可能に取り付けられた複数の通信インターフェースとを含む連系発電システムを更新、制御、および監視するために、グラフィカル・ユーザ・インターフェースおよびユーザ入力デバイスを有するモバイル・コンピューティング・システム上で実行するためのプログラムコードが記録される非一過性コンピュータ可読媒体であって、
モバイル・コンピューティング・システムをパワーモジュールまたはパワーデバイスに通信可能に接続して、パワーモジュールまたはパワーデバイスの近くにモバイル・コンピューティング・システムが存在することを検出するための第１のプログラムコードと、
検出に応答して、モバイル・コンピューティング・システムのユーザと通信して、ユーザの認証情報を照合するための第２のプログラムコードと、
パワーモジュールまたはパワーデバイスの現在のファームウェアバージョンを確立するための第３のプログラムコードと、
ファームウェアバージョンの確立に応答して、必要であれば、パワーモジュールまたはパワーデバイスのファームウェアバージョンを新しいファームウェアバージョンで更新するための第４のプログラムコードと
を含む、非一過性コンピュータ可読媒体。
［条項３１］
モバイル・コンピューティング・システム上で実行するためのプログラムコードが記録される、第３０項に記載の非一過性コンピュータ可読媒体であって、
直列接続部の各々にバイパス回路を適用することによって直列接続部の各々を試験して、そのことにより直列接続部の各々の故障状態を潜在的に特定する第５のプログラムコードをさらに含み、
試験は、パワーモジュールまたはパワーデバイスのハウジングおよびパワーモジュールまたはパワーデバイスの回路のハウジングの外部の環境に晒されることによる損傷を軽減し、
損傷は、ハウジングの再封止可能なアクセス部を開放することにより生じ、
試験により、再封止可能なアクセス部からパワーモジュールまたはパワーデバイスに繰り返しアクセスすることが実質的に最小限に抑えられる、非一過性コンピュータ可読媒体。
【００７７】
以下は開示された特徴の例である。
【実施例】
【００７８】
本明細書に開示されているように、特徴の態様は、ハウジングカバーの取り外しおよび再閉鎖に費やされる時間を低減し、開放状態で電流が流れている接点が露出するのを低減し、ハウジングのシール完全性の摩滅などを低減することができる。例えば、サービス技術者は、ＰＶパネルの裏面に接続されているＰＶオプティマイザに対する構成命令を送るが、システムＰＶインバータに再構成コマンドを出し、次にシステムＰＶインバータがＰＶオプティマイザにコマンドを転送し、そのことにより、ハウジングを開放してハウジング内部に位置するＰＶオプティマイザの内部デジタルインターフェースに接触しなくても、ＰＶオプティマイザを再構成することができる。
【００７９】
本明細書に開示されているように、特徴は、インターネットに接続されていないときのシステムパワーデバイス（１０７、１０３、１０３ａなど）と、インターネット上のリモートサーバ３２６との間でのデータ、構成、ソフトウェア、ファームウェアなどの自動転送を可能にし得る。この状況は、例えば、ＰＶインバータが建物の地下階に位置しており、建物の地下階がインバータへの接続に利用可能なインターネット接続がないときに発生し得る。システムパワーデバイス１０７は、中央ＰＶシステムインバータ、ＰＶサブシステムインバータ、ＰＶコンバータ、ＰＶオプティマイザなどであり得る。例えば、ＰＶインバータ、コンバータ、またはオプティマイザは、地下の位置に設置され、インバータ、コンバータ、またはオプティマイザは、古いファームウェアバージョンを含み、ファームウェアバージョン番号および構成設定は、設置作業者のコンピュータデバイス（例えば、モバイル機器もしくはモバイル端末）に自動的に転送される。設置作業者が建物から離れると、インバータへの接続は切断され、デバイスは自動的に更新されたファームウェアバージョンおよび構成設定を受け取る。次に、設置作業者は、ＰＶインバータ、コンバータ、またはオプティマイザに接続し、ファームウェアおよび構成設定が自動的にＰＶインバータ上で更新される。この実施例では、インバータ、コンバータ、またはオプティマイザは、非同期データキャリアとして設置作業者のコンピュータデバイス（例えば、モバイル機器もしくはモバイル端末）を使用して、リモートサーバ３２６から更新を受信し得る。この場合、接続は同時に確立されない場合がある。例えば、もっぱら時系列的に、いずれかに接続され得る。設置作業者が再び建物の中に入ると、コンピュータデバイスはリモートサーバ３２６から切断され得る。
【００８０】
本明細書で使用される場合、用語「自動的に」は、ユーザの介入がないことを意味し、限定的なユーザの介入が必要である（例えば、半自動的）を意味する場合もある。例えば、場合によっては、自動動作には、パスワード、認証コード、「ロボットではありません」の確認などの入力のように、ユーザの選択または介入が必要な場合がある。自動プロセスの一部として実行されるこれらの手動操作は、１回、定期的に、頻繁に、特定の動作の前／後などに行われ得る。本明細書で使用される場合、構成要素および／またはデバイス間のデジタルコンピュータ接続をもたらす動作を説明するのに使用されるときの用語「確立する」は、物理的接続、接続を確立するためのプロトコル、ハンドシェイキング、認証、照合、チャレンジレスポンス、ＣＡＰＴＣＨＡ（Ｃｏｍｐｌｅｔｅｌｙ  Ａｕｔｏｍａｔｅｄ  Ｐｕｂｌｉｃ  Ｔｕｒｉｎｇ  ｔｅｓｔ  ｔｏ  ｔｅｌｌ  Ｃｏｍｐｕｔｅｒｓ  ａｎｄ  Ｈｕｍａｎｓ  Ａｐａｒｔの頭文字）などを含み得るデータ接続（例えば、デジタル接続）の開始を意味する。本明細書で使用される場合、用語「プロセッサ」は、ソフトウェア（例えば、デジタルコード化命令）、構成されたフィールド・プログラマブル・ゲート・アレイ（ＦＰＧＡ）、デジタルハードウェア論理回路群、ファームウェア、メモリ内のプログラムコードなどを解釈して実行するコンピュータプロセッサを意味する。
【００８１】
別の実施例では、ＰＶインバータは、サービス技術者、設置作業者などのＰＶシステムにおける作業の間の動作を追跡および／または監視し、セントラルおよび／またはサーバ３２６（例えば、保証内容の違反を監視する製造業者のサーバ、不正アクセスを監視するメンテナンス契約会社のサーバ、従業員の行動を監視するメンテナンス契約会社のサーバなど）に作業を記録しているデータログを転送し得る。例えば、技術者がシステム上で作業している位置および／または時間は、監視され、リモートサーバに転送され得る。
【００８２】
本明細書に開示されているように、特徴は、データおよび／または構成パラメータを受信し、構成命令、再構成データ、プロファイル、ソフトウェア、ファームウェアなどを送信するために、システムパワーデバイス１０７へのリモートアクセスを可能にし得る。例えば、遠隔の専門家、機器製造業者の遠隔の代表者、遠隔サポートチーム、バックオフィスサポートの技術者などのような遠隔ユーザは、設置の問題を解決するためにシステムパワーデバイス１０７にアクセスすることができる。遠隔ユーザは、例えば、システムパワーデバイス１０７が最新のファームウェアを有さない顧客に出荷された場合に、異なる設備、異なる地域、異なる国、異なる言語などのためのファームウェアでファームウェア更新を実行したい場合がある。
【００８３】
同様に、構成設定も遠隔ユーザによって更新され得る。遠隔ユーザは、遠隔のシステムパワーデバイス、ユーザが屋根の上にいるときに地下階に位置しているシステムパワーデバイスなどのようなシステムパワーデバイス１０７に（永久的にまたは一時的に）アクセスするのを妨げられている現場のユーザであり得る。例えば、遠隔ユーザは、ＰＶパネルを設置している屋根の上の設置作業者であり、パネルの位置は、ＧＰＳ座標、物理的記述、デジタルビデオ画像、デジタル静止画像などを使用してシステムパワーデバイス１０７上で構成される。例えば、遠隔ユーザは、住宅の屋根の上の設置作業者であり、設置作業者は、屋根の片側でＰＶパネルのストリングの設置を完了した後に、ＰＶインバータを再構成して、設置したストリングを別々に試験したい場合がある。例えば、設置作業者は、３つ以上のＰＶパネルストリングを設置しており、各々のストリングを別々にＰＶインバータに接続してストリングを別々に試験することによって、各々のストリングを再構成したい場合がある。
【００８４】
遠隔ユーザは、建物の屋根の上のＰＶパネルのような発電装置の数メートルの範囲内にあり得、ＰＶインバータの構成を更新（例えば、再構成）して設置したばかりのＰＶパネルのストリングを試験するために、ＰＶインバータに到達するのに何メートルもあるアクセス経路を移動しなければならない場合がある。例えば、技術者は、ＰＶパネルから１０メートル未満の位置にいるが、ＰＶインバータへのアクセス経路に沿って２０メートル以上離れた位置にいる。例えば、技術者は、最も離れているＰＶパネルから４メートル未満の位置にいるが、ＰＶインバータへのアクセス経路に沿って６メートル以上離れた位置にいる。このことにより、ユーザはＰＶインバータを遠隔で再構成することができると同時に、物理的検査により再構成の効果を監視することができる。
【００８５】
物理的検査は、発電装置の近くのユーザの物理的存在によって実施され、それと同時にシステムパワーデバイス１０７の構成が変更され得る。物理的存在は、目視検査、聴覚による検査、熱的検査、嗅覚による検査、触覚による検査などの物理的検査を含み得る。ユーザは、構成変更の際の検査を可能にするためのＰＶパネルから生理学的感知距離内（例えば、感覚の種類に応じて、０〜２０メートルの範囲）、および通信インターフェースの距離内（データインターフェースのタイプに応じて、０〜１００メートル範囲）に存在し得る。例えば、インバータのストリングの試験の間に、ユーザは、ＶＰオプティマイザが逆極性で接続されたとき、相互接続が短絡したときなどに、絶縁物の燃焼の匂いを嗅ぐことができる。例えば、火花の音がユーザに、再構成が危険な火災危険状態を引き起こしていることを警告することがあり、その場合、ユーザは、聴覚を使用するにより、すぐにＰＶインバータの操作を停止するようにコマンドを送信することができる。
【００８６】
例えば、ＰＶサービス技術者は、断路する、および／または、各々のストリングが異なる数のＰＶパネル、異なる総電力、異なる最大電圧などを含む場合に、システムパワーデバイス１０７に各々のストリングを別々に接続して、そのストリング用にシステムパワーデバイスを再構成することによって、ＰＶシステムの発電の問題を解決することができる。この実施例では、技術者は、問題を切り分けるために、例えば、ストリングを追加する、ストリングを減らす、パネルを追加する、パネルを減らす、ストリング配線１１１を再構成する／再位置決めするなど、ＰＶストリングをうまく組み合わせたいと考えるかもしれない。技術者がパワーデバイスに接続されている発電装置で作業しながら、システムパワーデバイスへリモートアクセスすることは、設置作業者がシステムパワーデバイスの設定を再構成するのに梯子を登らなければならない回数を減らすことにより、設置作業者の安全性を高めることができる。したがって、設置作業者は、屋根の上に留まったまま、システムの配線１１１を変更し、ＰＶインバータに再構成要求を送信し、その後、結果の再構成を試験して、設置されたシステムの構成要素を試験することができる。再構成により、火花、燃焼などの有害事象が発生した場合、設置作業者は、有害事象を終わらせるためのコマンド、例えば、ＰＶパネルからの電力の取り出しをすぐに停止するためのコマンドなどをインバータに送信することができる。
【００８７】
例えば、技術者によって使用される（上述したような）コンピュータデバイス（例えば、モバイル機器もしくはモバイル端末）の携帯無線機能により、ＰＶシステムの設置、メンテナンス、アップグレードなどを支援するために、リアルタイムで自動的に遠隔のサポートチームに接続することができる。
【００８８】
コンピュータデバイス（例えば、モバイル機器もしくはモバイル端末）とシステムパワーデバイスとの間のローカル接続は、有線接続または無線接続であり得る。例えば、コンピュータデバイス（例えば、モバイル機器もしくはモバイル端末）とシステムパワーデバイス１０７との間のローカル接続は、近距離無線通信、ショート・メッセージ・サービス接続、ＢＬＵＥＴＯＯＴＨ（商標）接続、ＺＩＧＢＥＥ（商標）接続、Ｗｉ−Ｆｉ接続、ユニバーサル・シリアル・バス接続、イーサネット接続、汎用インターフェースバス接続、直列接続、並列接続、ＰＬＣ接続、ポイントツーポイント無線接続などを含み得る。
【００８９】
本明細書に開示されているのは、発電システムにアクセスするためのコンピュータデバイス（例えば、モバイル機器もしくはモバイル端末）の態様である。デバイスは、少なくとも１つのプロセッサ（例えば、１０５、２００、３００など）と、電力デバイス１０７に対するローカルデータ接続を確立するように構成された第１の通信インターフェースと、リモートサーバ３２６に対するリモートデータ接続を確立するように構成された第２の通信インターフェースと、プロセッサ命令が記憶される少なくとも１つの記憶媒体とを備え得る。プロセッサ命令は、少なくとも１つのプロセッサ上でプロセッサ命令が実行されたときに、コンピュータデバイスと電力デバイス１０７との間のローカルデータ接続を確立するようにコンピュータデバイスを構成し得る。プロセッサ命令は、電力デバイス１０７から少なくとも１つのシステム状態レコードを受信するようにコンピュータデバイスを構成し得る。プロセッサ命令は、少なくとも１つのプロセッサとリモートサーバ３２６との間のリモートデータ接続を確立するようにコンピュータデバイスを構成し得る。プロセッサ命令は、少なくとも１つのシステム状態レコードをリモートサーバに送信するようにコンピュータデバイスを構成し得る。
【００９０】
ここでは、本明細書および特許請求の範囲の他の場所にもあるように、範囲は、開示されていない新たな範囲を形成するように組み合わせられ得る。
【００９１】
本明細書に開示されている特定の寸法、特定の材料、および／または特定の形状は、本来例に過ぎず、本開示の範囲を制限するものではない。本明細書に開示されている所与のパラメータの特定の値および値の範囲は、本明細書に開示されている１つまたは複数の実施例において有用であり得る他の値および他の値の範囲を除外するものではない。さらに、本明細書で述べられている特定のパラメータの任意の２つの特定の値が、所与のパラメータに適し得る値の範囲の終点を定義し得ることが想定される（すなわち、開示されている所与のパラメータの第１の値と第２の値は、第１の値と第２の値との間の任意の値が所与のパラメータに使用されることも可能であることを開示していると解釈され得る）。例えば、パラメータＸが本明細書内で値Ａを有すると例示され、さらに値Ｚを有すると例示されている場合、パラメータＸは約Ａ〜約Ｚの値の範囲を有し得ると想定される。同様に、１つのパラメータに対する値の２つ以上の範囲（該範囲は、ネスト化された、重複した、または異なる範囲であっても）は、開示されている範囲の終点を使用して請求されるかもしれない全ての可能な範囲の組み合わせを含むものと想定される。例えば、パラメータＸが本明細書内で２〜９の範囲内の値を有すると例示されている場合、パラメータＸはこの範囲内の２〜８、２．５〜３、４〜９などを他の範囲を有すると想定される。
【００９２】
本開示は、システム、方法、および／または任意の可能な技術的詳細なレベルの統合のコンピュータプログラム製品であり得る。コンピュータプログラム製品は、プロセッサ（例えば、１０５、２００、３００など）に本開示の態様（例えば、ＰＶシステムの構成要素に対するデータの転送、ＰＶシステムの構成要素上のデータ、ソフトウェア、ファームウェアなどの更新など）を実行させるためのコンピュータプログラム命令を有するコンピュータ可読媒体（単数または複数）を含み得る。
【００９３】
本明細書に開示されているコンピュータ可読プログラム命令は、コンピュータ可読記憶媒体（例えば、２０２、３０２など）から個々のコンピューティング／処理デバイスに、または、ネットワーク（例えば、インターネット、ローカルエリア・ネットワーク、広域ネットワーク、および／または無線ネットワーク）を介して、外部コンピュータもしくは外部記憶装置にダウンロードされ得る。
【００９４】
本開示の操作を実行するためのコンピュータ可読プログラム命令は、アセンブラ命令、命令セットアーキテクチャ（ＩＳＡ）命令、機械命令、機械依存命令、マイクロコード、ファームウェア命令、状態設定データ、集積回路の構成データ、または１つまたは複数のプログラミング言語（Ｓｍａｌｌｔａｌｋ、Ｃ＋＋などのようなオブジェクト指向プログラミング言語、「Ｃ」プログラミング言語のような手続き型プログラミング言語、または同様のプログラミング言語を含む）の任意の組み合わせで書かれたソースコードもしくはオブジェクトコードであり得る。コンピュータ可読プログラム命令は、完全にユーザのコンピュータ上で実行する、一部がユーザのコンピュータで実行する、スタンドアロン型ソフトウェアパッケージとして実行する、一部がユーザのコンピュータ上で実行し一部がリモートコンピュータ上で実行する、または完全にリモートコンピュータもしくはサーバ上で実行することができる。後者のシナリオでは、リモートコンピュータは、任意のタイプのネットワークを介してユーザのコンピュータに接続され得る。いくつかの態様では、例えば、プログラマブル論路回路、フィールド・プログラマブル・ゲート・アレイ（ＦＰＧＡ）、またはプログラマブル論理アレイ（ＰＬＡ）を含む電子回路は、本開示の態様を実行するために、コンピュータ可読プログラム命令の状態情報を使用して電子回路を構成することによってコンピュータ可読命令を実行し得る。
【００９５】
本開示の態様は、本明細書には、本開示の特徴に従う方法（例えば、６００、６１０など）、装置（システム）、およびコンピュータプログラム製品のフローチャートおよび／またはブロック図を参照しながら説明されている。フローチャートおよび／またはブロック図の各々のブロック、さらにフローチャートおよび／またはブロック図内のブロックの組み合わせは、コンピュータ可読プログラム命令によって実装され得ることは理解されるであろう。
【００９６】
図面のフローチャートおよびブロック図（例えば、６００、６１０など）は、本開示の様々な特徴に従うシステム、方法、およびコンピュータプログラム製品の可能な実装のアーキテクチャ、機能、および動作を示している。この点に関して、フローチャートおよびブロック図内の各々のブロックは、モジュール、セグメント、または指定の論理機能（単数または複数）を実装するための１つまたは複数の実行可能命令を含む命令の一部を示し得る。いくつかの代替の実装では、ブロックに示されている機能は、図面に示されている順序以外の順序で発生する場合がある。例えば、連続して示されている２つのブロックは、実際には、ほぼ同時に実行される場合がある、またはブロックは、含まれる機能に応じて、逆の順序で実行される場合もある。さらに、ブロック図および／またはフローチャートの各々のブロック、さらにブロック図および／またはフローチャート内のブロックの組み合わせは、指定の機能もしくは動作を実行する、または特殊目的ハードウェアとコンピュータ命令との組み合わせを実行する特殊目的ハードウェアベースのシステムによって実装されてもよいことに気付くであろう。
【００９７】
様々な例示的な特徴の説明において、添付図面を参照する。添付図面は、本明細書の一部を成し、添付図面には、本開示の態様が実施され得る様々な特徴が例として示されている。本開示の範囲から逸脱せずに、他の特徴を使用することができ、また構造および機能の修正を行うことができることは理解できるであろう。
【００９８】
本明細書では要素間の様々な接続部について述べられていることに気付くであろう。これらの接続は、一般に、特別の定めのない限り、直接的または間接的な接続で有り得、本明細書は、この点において制限することを意図しない。さらに、１つの特徴の要素は、適切な組み合わせまたは部分的組み合わせの形で他の特徴の要素と組み合わせられてよい。
【００９９】
記載されている特徴の随意の好適な特徴および修正形態は、本明細書で教示されている特徴の全ての態様において使用可能である。さらに、従属クレームの個々の特徴、および記載されている特徴の全ての随意の好適な特徴および修正形態は、互いに組み合わせ可能であり、置き換え可能である。様々な特徴はさらに、以下の追加の条項に示す。
［条項３２］
少なくとも１つのプロセッサと、電力デバイスに対するローカルデータ接続を確立するように構成された第１の通信インターフェースと、リモートサーバに対するリモートデータ接続を確立するように構成された第２の通信インターフェースと、プロセッサ命令が記憶される少なくとも１つの記憶媒体とを備えるコンピュータデバイスであって、プロセッサ命令は、少なくとも１つのプロセッサ上で実行されたときに、コンピュータデバイスと電力デバイスとの間のローカルデータ接続を確立し、電力デバイスから少なくとも１つのシステム状態レコードを受信し、少なくとも１つのプロセッサとリモートサーバとの間のリモートデータ接続を確立し、少なくとも１つのシステム状態レコードをリモートサーバに送信するように、コンピュータデバイスを構成する、コンピュータデバイス。
［３３項］
発電システムにアクセスするためのプロセッサ命令が記憶された非一過性コンピュータ可読記憶媒体を備えるコンピュータプログラム製品であって、プロセッサ命令は、少なくとも１つのプロセッサによって実行されたときに、第１の通信インターフェースを使用して少なくとも１つのプロセッサと電力デバイスとの間のローカルデータ接続を確立し、少なくとも１つのプロセッサによって電力デバイスから少なくとも１つのシステム状態レコードを受信し、少なくとも１つのプロセッサとリモートサーバとの間で、第２の通信インターフェースを使用してリモートデータ接続を確立し、少なくとも１つのプロセッサから少なくとも１つのシステム状態レコードをリモートサーバに送信するように、少なくとも１つのプロセッサを構成する、コンピュータプログラム製品。
［条項３４］
発電システムにアクセスする方法であって、コンピュータデバイスと電力デバイスとの間で第１の通信インターフェースを使用してローカルデータ接続を確立するステップと、コンピュータデバイスによって電力デバイスから少なくとも１つのシステム状態レコードを受信するステップと、コンピュータデバイスとリモートサーバとの間で第２の通信インターフェースを使用してリモートデータ接続を確立するステップと、コンピュータデバイスから少なくとも１つのシステム状態レコードをリモートサーバに送信するステップとを含む、方法。
［条項３５］
発電システムにアクセスするための電力デバイスであって、少なくとも１つのプロセッサと、クライアントターミナルに対するローカルデータ接続を確立するように構成された通信インターフェースと、クライアントターミナルとのローカルデータ接続を確立し、クライアントターミナルに少なくとも１つのシステム状態レコードを送信するように、電力デバイスを構成するプロセッサ命令が記憶された少なくとも１つの記憶媒体とを備える、電力デバイス。
［条項３６］
発電システムにアクセスする方法であって、電力デバイスを使用してクライアントターミナルとのローカルデータ接続を確立するステップと、ローカルデータ接続を介して電力デバイスから少なくとも１つのシステム状態レコードをクライアントターミナルに送信するステップとを含む、方法。
［条項３７］
少なくとも１つのシステム状態レコードは、少なくとも１つの構成バージョンを含み、プロセッサ命令は、実行されたときに、少なくとも１つの構成バージョンに応答してリモートサーバから少なくとも１つの構成更新を受信し、少なくとも１つの構成更新を電力デバイスに送信するように、コンピュータデバイスまたは電力デバイスをさらに構成する、第３２項〜第３６項のうちのいずれか一項に記載のコンピュータデバイス、電力デバイス、コンピュータプログラム製品、または方法。
［条項３８］
少なくとも１つの構成更新は、ファームウェア更新または構成データセットを含む、第３７項に記載のコンピュータデバイス、電力デバイス、コンピュータプログラム製品、または方法。
［条項３９］
少なくとも１つの構成バージョンは、太陽光発電システムの少なくとも１つの構成要素の構成を表し／構成を示し／構成に関連し／構成を決定し、太陽光発電システムの構成要素は、電力デバイス、太陽光発電インバータ、太陽光発電オプティマイザ、太陽光発電コンバータを備える、第３７項または第３８項に記載のコンピュータデバイス、電力デバイス、コンピュータプログラム製品、または方法。
［条項４０］
少なくとも１つのシステム状態レコードは、認証アクセスログ、不正アクセスログ、固有の識別（ＩＤ）番号、グローバル・ポジショニング・システムの座標データ、ユーザ名、パスワード、暗号化鍵、更新されたファームウェアバージョンのレコード、以前または現在のファームウェアバージョンのレコード、またはエラーログを含む、第３２項〜第３９項のうちのいずれか一項に記載のコンピュータデバイス、電力デバイス、コンピュータプログラム製品、または方法。
［条項４１］
方法はさらに、プロセッサ命令が、実行されたときに、ローカルデータ接続またはリモートデータ接続を切断するようにデバイスをさらに構成するステップを含む、第３２項〜第４０項のうちのいずれか一項に記載のコンピュータデバイス、電力デバイス、コンピュータプログラム製品、または方法。
［条項４２］
電力デバイスから少なくとも１つのシステム状態レコードを受信するステップ、およびリモートサーバに少なくとも１つのシステム状態レコードを送信するステップは、連続的にまたは非同期的に、例えば、同時にではなく実行される、第３２項〜第４１項のうちのいずれか一項に記載のコンピュータデバイス、電力デバイス、コンピュータプログラム製品、または方法。
［条項４３］
電力デバイスは、少なくとも１つの太陽光発電機から直流電力を入力するように構成され、または入力を行い、第２の電力デバイスに直流電力を出力する、または配電網に交流電力を出力するように構成される、第３２項〜第４２項のうちのいずれか一項に記載のコンピュータデバイス、電力デバイス、コンピュータプログラム製品、または方法。
［条項４４］
少なくとも１つのシステム状態レコードは、太陽光発電システムにおける少なくとも１つの認証メンテナンス動作を示す認証アクセスログ、太陽光発電システムにおける少なくとも１つの不正メンテナンス動作を示す不正アクセスログ、太陽光発電システムの構成要素のファームウェアバージョンを示す更新ファームウェアバージョンのレコード、太陽光発電システムの構成要素の以前もしくは現在のファームウェアバージョンを示す以前もしくは現在のファームウェアバージョンのレコード、または太陽光発電システムの少なくとも１つの構成要素の少なくとも１つの故障を示すエラーログを含む、太陽光発電システムの態様を示す太陽光発電システム情報を含む、第３２項〜第４３項のうちのいずれか一項に記載のコンピュータデバイス、電力デバイス、コンピュータプログラム製品、または方法。
［条項４５］
少なくとも１つのプロセッサと、電力デバイスにデジタルデータを送信するように構成されたデータ通信インターフェースと、ユーザコマンドを受信するように構成されたユーザインターフェースと、プロセッサ命令が記憶されたコンピュータ可読媒体とを備えるコンピュータデバイスであって、プロセッサ命令は、少なくとも１つのプロセッサ上で実行されたときに、データ通信インターフェースを使用して電力デバイスに対するデータ接続を確立し、電力デバイスまたは電力デバイスに接続された複数の発電機の少なくとも１つの構成または操作を特定するユーザコマンドを受信し、データ通信インターフェースを使用して電力デバイスにユーザコマンドを送信するように、コンピュータデバイスを構成する、コンピュータデバイス。
［条項４６］
コンピュータデバイスによってデータ通信インターフェースを使用して電力デバイスに対するデータ接続を確立するステップと、コンピュータデバイスによって電力デバイスまたは電力デバイスに接続された複数の発電機の少なくとも１つの構成または操作を特定するユーザコマンドを受信するステップと、データ通信インターフェースを使用して電力デバイスにユーザコマンドを送信するステップとを含む方法。
［条項４７］
少なくとも１つのプロセッサと、複数の発電機から電力を受け取るように構成された電力入力部と、コンピュータデバイスからデータを受信するように構成されたデータ通信インターフェースと、プロセッサ命令が記憶された記憶媒体とを備える電力デバイスであって、プロセッサ命令は、少なくとも１つのプロセッサ上で実行されたときに、データ通信インターフェースを使用してコンピュータデバイスに対するデータ接続を確立し、データ通信インターフェースを介して電力デバイスまたは複数の発電機の少なくとも１つの構成または操作を特定するユーザコマンドを受信し、電力デバイスまたは複数の発電機の少なくとも１つにおいて、ユーザコマンドに基づくまたはユーザコマンドによって特定された動作を開始するように、電力デバイスを構成する、電力デバイス。
［条項４８］
電力デバイスによってデータ通信インターフェースを使用してコンピュータデバイスに対するデータ接続を確立するステップと、電力デバイスによって電力デバイスまたは複数の発電機の少なくとも１つの構成または操作を特定するユーザコマンドを受信するステップと、電力デバイスによって、電力デバイスまたは複数の発電機の少なくとも１つにおいて、ユーザコマンドに基づくまたはユーザコマンドによって特定された動作を開始するステップとを含む方法。
［条項４９］
複数の発電機と、少なくとも１つの個々の相互接続を使用して複数の発電機の少なくとも１つから電力を受け取るように構成された電力デバイスとを備える発電システムであって、電力デバイスは、データ通信インターフェースを備え、データ通信インターフェースは、電力デバイスまたは複数の発電機の少なくとも１つの構成または操作を特定するユーザコマンドを受信するように構成され、電力デバイスは、ユーザコマンドの受信後に、電力デバイスまたは複数の発電機の少なくとも１つにおいて、ユーザコマンドに基づくまたはユーザコマンドによって特定された動作を開始する、発電システム。
［条項５０］
ユーザコマンドは、電子的始動操作、電圧、電流、電力、電気部品動作温度、もしくは蓄電装置の充電状態のデータ値、複数のデータ値を含むデータ値構成であって、１組のシステム電気パラメータ、配電パネルに接続された１組の負荷、もしくは電気エネルギー貯蔵装置の充電プロファイルを表すデータ値構成、中央電力コンピュータデバイスのソフトウェア構成、太陽光発電システムの構成要素のファームウェア構成、太陽光発電システムの構成要素の電気的構成、または太陽光発電システムの構成要素の故障、太陽光発電システムの構成要素へのサービス、太陽光発電システムの構成要素の性能を含む状態の選択を特定し、ユーザコマンドは、電力デバイスまたは複数の発電機の少なくとも１つに適用される、第４５項〜第４９項のうちのいずれか一項に記載の方法、コンピュータデバイス、電力デバイス、または発電システム。
［条項５１］
複数の発電機は、複数の個々の相互接続部を備え、ユーザコマンドは、複数の個々の相互接続部の１つまたは複数の配線構成の配線選択を特定し、ユーザコマンドは、電力デバイスまたは複数の発電機の少なくとも１つに適用される、第４５項〜第５０項のうちのいずれか一項に記載の方法、コンピュータデバイス、電力デバイス、または発電システム。
［条項５２］
配線選択は、電力デバイスに動作可能に接続された１つまたは複数の発電機のサブセットを特定する、電力を受け取るために電力デバイスの構成を特定する、または電力デバイスまたは複数の発電機の少なくとも１つを制御するための命令を含む、第５１項に記載の方法、コンピュータデバイス、電力デバイス、または発電システム。
［条項５３］
電力デバイスおよび複数の発電機は、太陽光発電システムの構成要素である、第４５項〜第５２のうちのいずれか一項に記載の方法、コンピュータデバイス、電力デバイス、または発電システム。
［条項５４］
太陽光発電システムは、少なくとも１つの太陽光発電インバータ、少なくとも１つの太陽光発電オプティマイザ、または少なくとも１つの太陽光発電コンバータをさらに備える、第５３に記載の方法、コンピュータデバイス、電力デバイス、または発電システム。
［条項５５］
ユーザコマンドは、電力デバイスまたは複数の発電機の少なくとも１つの構成または操作に応答して送信され、および（または）ユーザコマンドは、複数の発電機の少なくとも１つの目視検査、聴覚による検査、または嗅覚による検査の結果を特定する、第４５項〜第５４項のうちのいずれか一項に記載の方法、コンピュータデバイス、電力デバイス、または発電システム。
［条項５６］
コンピュータデバイスは、複数の発電機の少なくとも１つの近距離に位置する、第４５項〜第５５のうちのいずれか一項に記載の方法、コンピュータデバイス、電力デバイス、または発電システム。
［条項５７］
コンピュータデバイスは、電力デバイスの遠隔の近距離に位置する、第４５項〜第５６のうちのいずれか一項に記載の方法、コンピュータデバイス、電力デバイス、または発電システム。
［条項５８］
近距離とは、４メートル未満の直線距離である、第５６項〜第５７のうちのいずれか一項に記載の方法、コンピュータデバイス、電力デバイス、または発電システム。
［条項５９］
遠隔の近距離とは、６メートルを超えるアクセス経路の距離である、第５６項〜第５８のうちのいずれか一項に記載の方法、コンピュータデバイス、電力デバイス、または発電システム。
［条項６０］
コンピュータデバイスは、モバイル端末を備える、第４５項〜第５９のうちのいずれか一項に記載の方法、コンピュータデバイス、電力デバイス、または発電システム。
【図１Ａ】
2019004690.tif 000003
【図１Ｂ】
2019004690.tif 000004
【図１Ｃ】
2019004690.tif 000005
【図１Ｄ】
2019004690.tif 000006
【図１Ｅ】
2019004690.tif 000007
【図２】
2019004690.tif 000008
【図３】
2019004690.tif 000009
【図４】
2019004690.tif 000010
【図５】
2019004690.tif 000011
【図６Ａ】
2019004690.tif 000012
【図６Ｂ】
2019004690.tif 000013
【外国語明細書】
2019004690000001.pdf